(57)【特許請求の範囲】
【請求項１】
紙幣束を収納するとともにこれを必要に応じて繰り出す金種別の収納部と、これら収納部の紙幣束の繰り出しを制御する制御部とを有する紙幣束処理装置において、
前記収納部に収納された紙幣束または前記収納部から繰り出し中の紙幣束または前記収納部から繰り出された後の紙幣束の表面の画像パターンを検出する検出手段を設け、
前記制御部は、前記検出手段により検出された画像パターンに基づき前記紙幣束の金種を確認する確認手段を有しており、
前記検出手段は、前記収納部に収納された状態で該収納部における最も繰出側に位置する紙幣束の表面の画像パターンを検出可能とされ、
前記制御部は、前記確認手段が、前記収納部に収納された状態で該収納部における最も繰出側に位置する紙幣束の前記検出手段で検出された表面の画像パターンを確認した後に、前記収納部からの当該紙幣束の繰り出しを行うことを特徴とする紙幣束処理装置。
【請求項２】
前記制御部は、前記確認手段が、前記収納部に収納された状態で該収納部における最も繰出側に位置する紙幣束の前記検出手段で検出された表面の画像パターンから、当該紙幣束が繰り出されるべき金種とは異なると確認したときに、前記収納部からの当該紙幣束の繰り出しを禁止する禁止手段を有することを特徴とする請求項１記載の紙幣束処理装置。
【請求項３】
前記制御部は、前記確認手段が、前記収納部に収納された状態で該収納部における最も繰出側に位置する紙幣束の前記検出手段で検出された表面の画像パターンから、当該紙幣束が繰り出されるべき金種とは異なると確認したときに、報知手段により報知を行わせることを特徴とする請求項１または２記載の紙幣束処理装置。
【請求項４】
紙幣束を収納するとともにこれを必要に応じて繰り出す金種別の収納部と、これら収納部の紙幣束の繰り出しを制御する制御部とを有する紙幣束処理装置において、
前記収納部に収納された紙幣束または前記収納部から繰り出し中の紙幣束または前記収納部から繰り出された後の紙幣束の表面の画像パターンを検出する検出手段を設け、
前記制御部は、前記検出手段により検出された画像パターンに基づき前記紙幣束の金種を確認する確認手段を有しており、
前記検出手段は、前記収納部から繰り出し中の紙幣束または前記収納部から繰り出された直後の紙幣束の表面の画像パターンを検出可能とされ、
前記制御部は、前記確認手段が、前記収納部から繰り出し中の紙幣束または前記収納部から繰り出された直後の紙幣束の前記検出手段で検出された表面の画像パターンを確認することを特徴とする紙幣束処理装置。
【請求項５】
前記制御部は、前記確認手段が、前記収納部から繰り出し中の紙幣束または前記収納部から繰り出された直後の紙幣束の前記検出手段で検出された表面の画像パターンから、当該紙幣束が繰り出されるべき金種とは異なると確認したときに、前記収納部からの当該紙幣束の後の紙幣束の繰り出しを禁止する禁止手段を有することを特徴とする請求項４記載の紙幣束処理装置。
【請求項６】
前記制御部は、前記確認手段が、前記収納部から繰り出し中の紙幣束または前記収納部から繰り出された直後の紙幣束の前記検出手段で検出された表面の画像パターンから、当該紙幣束が繰り出されるべき金種とは異なると確認したときに、報知手段により報知を行わせることを特徴とする請求項４または５記載の紙幣束処理装置。
【請求項７】
前記金種別の収納部に対し共用され、移動することにより各収納部から紙幣束を受け入れる移動体を有しており、
前記検出手段は前記移動体に設けられていることを特徴とする請求項１乃至６のいずれか一項記載の紙幣束処理装置。
【請求項８】
前記金種別の収納部に対し共用され、移動することにより各収納部から紙幣束を受け入れる移動体を有しており、
前記金種別の収納部は鉛直方向に配置され、前記移動体は鉛直方向に移動するよう構成されており、
前記検出手段は、前記移動体の鉛直上方に配置されていることを特徴とする請求項１乃至６のいずれか一項記載の紙幣束処理装置。
【請求項９】
前記移動体の鉛直上方には、該移動体で搬送する紙幣束を出金させる出金口が配置されており、
該出金口には、これを開閉させる出金口シャッタが設けられていて、
前記検出手段は、前記出金口シャッタの下面に設けられていることを特徴とする請求項８記載の紙幣束処理装置。
【発明の詳細な説明】
【０００１】
【発明の属する技術分野】
本発明は、紙幣束を金種別に収納するとともに必要に応じて所望の紙幣束を出金可能な紙幣束処理装置に関する。
【０００２】
【従来の技術】
紙幣束を金種別に収納するとともに必要に応じて所望の紙幣束を出金可能な紙幣束処理装置として、例えば、実開昭６２−５６５３９号公報に開示されたものがある。この紙幣束処理装置は、紙幣束を収納する収納部を金種別に有するとともに、これら収納部に対し共用の移動体を有しており、この移動体が各収納部の位置まで移動して各収納部から紙幣束を受け入れて出金させるようになっている。この紙幣束処理装置においては、各収納部への紙幣束の装填は人手により行われるようになっている。
また、紙幣束処理装置として、上記と同様に、紙幣束を収納する収納部を金種別に有するとともに、これら収納部に対し共用の移動体を有し、この移動体が各収納部の位置まで移動して各収納部から紙幣束を受け入れて出金させるものにおいて、内部に収納されたバラ紙幣を必要に応じて自動的に１００枚ずつ繰り出し結束して紙幣束とし、この紙幣束を対応する金種の収納部に装填させるものがある。
【０００３】
【発明が解決しようとする課題】
上記のように、各収納部への紙幣束の装填を人手により行うタイプの紙幣束処理装置においては、紙幣束の金種を間違えて対応しない収納部に装填させてしまうことがあり、このように収納部に紙幣束の誤装填があると、出金時に間違った紙幣束が出金されるいわゆる誤払いが生じてしまうことがあった。
また、内部で紙幣束を結束し収納部に装填させるタイプの紙幣束処理装置においては、このように装置側で装填を行っている場合には、紙幣束の金種を間違えて対応しない収納部に装填させてしまうことはないが、このタイプの紙幣束処理装置においても、紙幣束を作成している時間がない等の理由から、紙幣束の装填を人手により行うことがあり、このような場合には、上記と同様、収納部に紙幣束の誤装填を生じ、出金時に誤払いが生じてしまうことになる。
本発明は、例え収納部に紙幣束の誤装填を生じたとしても、出金時に誤払いが生じてしまうことを防止することができる紙幣束処理装置の提供を目的とする。
【０００４】
【課題を解決するための手段】
上記目的を達成するため、本発明の請求項１記載の紙幣束処理装置は、紙幣束を収納するとともにこれを必要に応じて繰り出す金種別の収納部と、これら収納部の紙幣束の繰り出しを制御する制御部とを有するものであって、前記収納部に収納された紙幣束または前記収納部から繰り出し中の紙幣束または前記収納部から繰り出された後の紙幣束の表面の画像パターンを検出する検出手段を設け、前記制御部は、前記検出手段により検出された画像パターンに基づき前記紙幣束の金種を確認する確認手段を有しており、前記検出手段は、前記収納部に収納された状態で該収納部における最も繰出側に位置する紙幣束の表面の画像パターンを検出可能とされ、前記制御部は、前記確認手段が、前記収納部に収納された状態で該収納部における最も繰出側に位置する紙幣束の前記検出手段で検出された表面の画像パターンを確認した後に、前記収納部からの当該紙幣束の繰り出しを行うことを特徴としている。
【０００５】
これにより、検出手段が、収納部に収納された紙幣束または収納部から繰り出し中の紙幣束または収納部から繰り出された後の紙幣束の表面の画像パターンを検出すると、この画像パターンに基づいて制御部は、その確認手段が紙幣束の金種を確認することになる。
また、検出手段が、収納部に収納された状態で該収納部における最も繰出側に位置する紙幣束の表面の画像パターンを検出すると、この画像パターンに基づいて制御部は、その確認手段で当該紙幣束の金種を確認することになり、この確認後に、制御部は収納部からの当該紙幣束の繰り出しを行うことになる。
【０００８】
本発明の請求項２記載の紙幣束処理装置は、請求項１記載のものに関し、前記制御部は、前記確認手段が、前記収納部に収納された状態で該収納部における最も繰出側に位置する紙幣束の前記検出手段で検出された表面の画像パターンから、当該紙幣束が繰り出されるべき金種とは異なると確認したときに、前記収納部からの当該紙幣束の繰り出しを禁止する禁止手段を有することを特徴としている。
【０００９】
これにより、検出手段が、収納部に収納された状態で該収納部における最も繰出側に位置する紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、その禁止手段により収納部からの当該紙幣束の繰り出しを禁止することになる。
【００１０】
本発明の請求項３記載の紙幣束処理装置は、請求項１または２記載のものに関し、前記制御部は、前記確認手段が、前記収納部に収納された状態で該収納部における最も繰出側に位置する紙幣束の前記検出手段で検出された表面の画像パターンから、当該紙幣束が繰り出されるべき金種とは異なると確認したときに、報知手段により報知を行わせることを特徴としている。
【００１１】
これにより、検出手段が、収納部に収納された状態で該収納部における最も繰出側に位置する紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、報知手段により報知を行わせることになる。
【００１２】
本発明の請求項４記載の紙幣束処理装置は、紙幣束を収納するとともにこれを必要に応じて繰り出す金種別の収納部と、これら収納部の紙幣束の繰り出しを制御する制御部とを有するものであって、前記収納部に収納された紙幣束または前記収納部から繰り出し中の紙幣束または前記収納部から繰り出された後の紙幣束の表面の画像パターンを検出する検出手段を設け、前記制御部は、前記検出手段により検出された画像パターンに基づき前記紙幣束の金種を確認する確認手段を有しており、前記検出手段は、前記収納部から繰り出し中の紙幣束または前記収納部から繰り出された直後の紙幣束の表面の画像パターンを検出可能とされ、前記制御部は、前記確認手段が、前記収納部から繰り出し中の紙幣束または前記収納部から繰り出された直後の紙幣束の前記検出手段で検出された表面の画像パターンを確認することを特徴としている。
【００１３】
これにより、検出手段が、収納部に収納された紙幣束または収納部から繰り出し中の紙幣束または収納部から繰り出された後の紙幣束の表面の画像パターンを検出すると、この画像パターンに基づいて制御部は、その確認手段が紙幣束の金種を確認することになる。
また、検出手段が、収納部から繰り出し中の紙幣束または収納部から繰り出された直後の紙幣束の表面の画像パターンを検出すると、この画像パターンに基づいて制御部は、その確認手段で当該紙幣束の金種を確認することになる。
【００１４】
本発明の請求項５記載の紙幣束処理装置は、請求項４記載のものに関し、前記制御部は、前記確認手段が、前記収納部から繰り出し中の紙幣束または前記収納部から繰り出された直後の紙幣束の前記検出手段で検出された表面の画像パターンから、当該紙幣束が繰り出されるべき金種とは異なると確認したときに、前記収納部からの当該紙幣束の後の紙幣束の繰り出しを禁止する禁止手段を有することを特徴としている。
【００１５】
これにより、検出手段が、収納部から繰り出し中の紙幣束または収納部から繰り出された直後の紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、その禁止手段により収納部からの当該紙幣束の後の紙幣束の繰り出しを禁止することになる。
【００１６】
本発明の請求項６記載の紙幣束処理装置は、請求項４または５記載のものに関し、前記制御部は、前記確認手段が、前記収納部から繰り出し中の紙幣束または前記収納部から繰り出された直後の紙幣束の前記検出手段で検出された表面の画像パターンから、当該紙幣束が繰り出されるべき金種とは異なると確認したときに、報知手段により報知を行わせることを特徴としている。
【００１７】
これにより、検出手段が、収納部から繰り出し中の紙幣束または収納部から繰り出された直後の紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、報知手段により報知を行わせることになる。
【００１８】
本発明の請求項７記載の紙幣束処理装置は、請求項１乃至６のいずれか一項記載のものに関し、前記金種別の収納部に対し共用され、移動することにより各収納部から紙幣束を受け入れる移動体を有しており、前記検出手段は前記移動体に設けられていることを特徴としている。
【００１９】
これにより、金種別の収納部に対し共用された移動体が紙幣束を受け入れるため移動すると該移動体とともに該検出手段も移動することになり、移動した後、移動体で受け入れる紙幣束の表面の画像パターンを検出すれば、検出手段も一つで金種別の収納部の紙幣束の検出が可能となる。
【００２０】
本発明の請求項８記載の紙幣束処理装置は、請求項１乃至６のいずれか一項記載のものに関し、前記金種別の収納部に対し共用され、移動することにより各収納部から紙幣束を受け入れる移動体を有しており、前記金種別の収納部は鉛直方向に配置され、前記移動体は鉛直方向に移動するよう構成されており、前記検出手段は、前記移動体の鉛直上方に配置されていることを特徴としている。
【００２１】
これにより、鉛直方向に配置された金種別の収納部に対し共用された移動体が紙幣束を受け入れるため鉛直方向に移動しても、該移動体の鉛直上方に配置された検出手段は、移動体に対し角度が一定しており、移動体で受け入れる紙幣束の表面の画像パターンを一つの検出手段で検出可能となる。
【００２２】
本発明の請求項９記載の紙幣束処理装置は、請求項８記載のものに関し、前記移動体の鉛直上方には、該移動体で搬送する紙幣束を出金させる出金口が配置されており、該出金口には、これを開閉させる出金口シャッタが設けられていて、前記検出手段は、前記出金口シャッタの下面に設けられていることを特徴としている。
【００２３】
このように、移動体の鉛直上方の出金口には、これを開閉させる出金口シャッタが設けられており、検出手段は、出金口シャッタの下面に設けられているため、出金口シャッタが出金口を閉塞させた状態では、検出手段は、移動体の鉛直上方にあって紙幣束の表面パターンの検出が可能となり、他方、出金のため、出金口シャッタが出金口を開放させた状態では、検出手段は、出金口シャッタとともに移動体の鉛直上方から逃げてその出金を妨げることがない。
【００２４】
【発明の実施の形態】
本発明の第１の実施の形態の紙幣束処理装置を図１〜図１３を参照して以下に説明する。なお、第１の実施の形態の紙幣束処理装置は、紙幣処理機の一部を構成する紙幣束収納・出金ユニットとして用いられている。ここで、各図において矢印で示すＸ方向が、操作を行うオペレータ側すなわち機体１０の前方（正面側）を示す。また、以下における前後は機体１０における前後であり、左右は、機体１０の前方から機体１０を見たときの左右である。
【００２５】
紙幣処理機は、バラ紙幣の入金、収納、回収および出金と、紙幣の結束と、結束された紙幣束の収納および出金とを行うことが可能とされ、銀行等における出納機の一部として他の図示しない硬貨処理機等と組み合わされて用いられるものであり、図１に示すように、その機体１０の上部には正面（前面）からやや上方に向いて、各処理の操作がオペレータにより入力される操作部１１と、処理のガイドメニュー、処理状態および処理結果等を画面表示および音声出力する表示部（報知手段）１２とが設けられている。
【００２６】
また、これら操作部１１および表示部１２の下側位置には、正面に向いて、結束された紙幣束を機外に放出するための紙幣束放出口１３と、結束枚数に満たないバラの端数紙幣を機外に繰り出させるための端数紙幣繰出口１４とが設けられている。
さらに、これら紙幣束放出口１３および端数紙幣繰出口１４の下側かつ前側位置には、上方を向いて、入金するバラ紙幣がオペレータにより機外からセットされ、また機内から出金されるバラ紙幣を機外に取り出し可能とする紙幣入出金・リジェクト口１６と、所定枚数で結束された各金種の紙幣束を機外に取り出し可能とする紙幣束出金口（出金口）１７とが設けられている。
【００２７】
紙幣入出金・リジェクト口１６には、機体１０の内外を開放・遮断するスライド式のスライドシャッタ１８が設けられており、紙幣束出金口１７にも、機体１０の内外を開放・遮断するスライド式のスライドシャッタ（出金口シャッタ）１９が設けられていて、端数紙幣繰出口１４にも、機体１０の内外を開放・遮断するスライド式のスライドシャッタ２０が設けられている。また、紙幣束放出口１３にも、機体１０の内外を開放・遮断する揺動式の開閉シャッタ２１が設けられている。
【００２８】
この紙幣処理機は、大きく分けると、紙幣入出金・リジェクト口１６に投入されたバラ紙幣を入金させて収納する入金処理を行うとともに、収納したバラ紙幣を必要に応じて紙幣入出金・リジェクト口１６ヘ出金させる出金処理等のバラ紙幣における各処理を行う紙幣入出金ユニット２３と、該紙幣入出金ユニット２３から送り込まれるバラ紙幣を所定枚数集積させ、さらに集積させた集積紙幣を結束させるとともに、この結束した紙幣束を第１紙幣束入出ボックス１４０でその目的に応じた場所に向け振分搬送する紙幣結束・搬送ユニット２４と、該紙幣結束・搬送ユニット２４で結束されて送り込まれる紙幣束を受け取り、金種別に収納するとともに、収納した紙幣束を必要に応じて紙幣束出金口１７から出金させる紙幣束収納・出金ユニット（紙幣束処理装置）２５と、これらを制御する図示せぬ制御部とから構成されている。なお、紙幣入出金ユニット２３においては、紙幣の搬送方向が上下方向、前後方向および上下前後の組み合わせ方向のみとされており、紙幣束収納・出金ユニット２５は、紙幣束をその長手方向を上下方向に沿わせかつその厚さ方向を前後方向に沿わせた状態で収納させるようになっている。
【００２９】
ここで、紙幣束収納・出金ユニット２５は、紙幣入出金ユニット２３の正面から見て横に並設されていて、紙幣結束・搬送ユニット２４は、これら紙幣入出金ユニット２３および紙幣束収納・出金ユニット２５の上側かつ後部側に配置されている。また、並設された紙幣入出金ユニット２３および紙幣束収納・出金ユニット２５の全体の幅は、紙幣結束・搬送ユニット２４の幅と同じとされている。
【００３０】
次に、本発明の第１の実施の形態の紙幣束処理装置である紙幣束収納・出金ユニット２５について説明する。
図２に示すように、紙幣束収納・出金ユニット２５は、紙幣束を収納するとともに収納した紙幣束を図示せぬ制御部からの指令により必要に応じて繰り出し可能とされ、さらに機体１０から着脱自在に構成される複数具体的には３つの金種別の紙幣束収納庫（紙幣束収納部）２２７，２２８，２２９と、紙幣結束・搬送ユニット２４の第１紙幣束入出ボックス１４０から所定位置に投入された紙幣束を受け取ってその金種に応じた紙幣束収納庫２２８，２２９に振り分け収納させる紙幣束振分収納部２３０と、各紙幣束収納庫２２７〜２２９から必要に応じて繰り出された紙幣束を受け入れ、図１に示す紙幣束出金口１７まで搬送する紙幣束出金部２３１とにより構成される。なお、上段の紙幣束収納庫２２７には、紙幣結束・搬送ユニット２４の第１紙幣束入出ボックス１４０から直接紙幣束が投入されることになる。また、紙幣束振分収納部２３０は、紙幣束収納庫２２８の前後進も合わせて行うことにより、紙幣束を紙幣束収納庫２２８，２２９に振り分けるようになっている。
【００３１】
なお、金種別の紙幣束収納庫２２７〜２２９は、それぞれ紙幣束をその長手方向を上下方向に沿わせかつ厚さ方向を前後方向に沿わせた状態で前後方向に重ね合わせて収納するもので、この収納形態に合わせて長手方向を前後方向に沿わせて配置される。また、これら紙幣束収納庫２２７〜２２９は上下方向に重なり合うよう配設された状態で紙幣入出金ユニット２３の横に並設される。以下では、紙幣束収納庫２２７に収納する金種をＡ金種（例えば千券）とし、紙幣束収納庫２２８に収納する金種をＢ金種（例えば五千券）とし、紙幣束収納庫２２９に収納する金種をＣ金種（例えば万券）とする。
【００３２】
〔紙幣束収納庫〕
紙幣束収納庫２２７〜２２９は、前後方向の長さを除いてはすべて同様の構成をなしており、図３に示すように、その外郭をなす直方体状の筐体２３３を有している。
筐体２３３内の左右には、前後方向かつ鉛直方向に沿って互いに略平行をなすガイド板２３４，２３５が設けられており、これらガイド板２３４，２３５の間には、紙幣束Ｓ３をその長手方向を上下方向に沿わせかつ厚さ方向を前後方向に沿わせた状態で前後方向に重ね合わせて収納させる収納空間２３６が形成される。一方のガイド板２３４の外側には、該ガイド板２３４に平行をなしかつ水平に延在するガイド軸２３７が筐体２３３に対し位置固定となるよう配置されており、ガイド軸２３７には、該ガイド軸２３７に沿って、前後方向における所定範囲で前後移動可能となるよう後板２３８が収納空間２３６に一部突出する状態で摺動自在に支持されている。
【００３３】
また、ガイド板２３４の外側には、ガイド軸２３７と平行をなして図示せぬ無端状のベルトが配置されており、該ベルトはその一点が後板２３８に固定されている。そして、制御部により制御される図示せぬ後板移動モータの正逆回転でこのベルトが正逆回転し、その一点に固定された後板２３８をガイド軸２３７に沿って強制的に前後移動させる。
ガイド軸２３７には、後板２３８よりも前側に、該ガイド軸２３７に沿って前後移動可能となるよう前板２４１が収納空間２３６に一部突出する状態で摺動自在に支持されている。この前板２４１は、図示せぬバネで後方に付勢されていて、この付勢力により該後板２３８等との間で紙幣束Ｓ３を挟持可能となっている。
【００３４】
筐体２３３の上面には、後側の移動端に位置する後板２３８に対し前側に位置して、紙幣結束・搬送ユニット２４から紙幣束Ｓ３が、その長手方向を上下方向に沿わせ厚さ方向を前後方向に沿わせた立位状態で投入される平面視長方形状の取込口２４２（図２参照）が形成されている。
この取込口２４２より投入された紙幣束Ｓ３は、ほぼ投入時の立位姿勢のままガイド板２３４，２３５間に収納され、後側から前側へ移動する後板２３８により、ほぼ立位姿勢のまま前側に移動させられることになる。
【００３５】
取込口２４２より所定距離前側には、鉛直方向に延在する一対の軸部２４４，２４４がガイド板２３４，２３５の両外側位置に位置固定で配置されており、これら軸部２４４，２４４には、それぞれ、一対の略長方形状の面部２４５，２４６を有しこれら面部２４５，２４６を長手方向を鉛直方向に沿わせかつ相互に直角をなすよう連結させた形状の可動板２４７，２４７が、連結部分において回転自在となるよう支持されている。
【００３６】
各軸部２４４，２４４より所定距離前側には、鉛直方向に延在する一対の軸部２４９，２４９がガイド板２３４，２３５の両外側位置に位置固定で配置されており、これら軸部２４９，２４９には、それぞれ、一対の略長方形状の面部２５０，２５１を有しこれら面部２５０，２５１を長手方向を鉛直方向に沿わせかつ相互に直角をなすよう連結させた形状の可動板２５２，２５２が、連結部分において回転自在となるよう支持されている。
【００３７】
そして、可動板２４７，２４７は、一方の面部２４５をガイド板２３４，２３５に平行に鉛直延在させかつ軸部２４４から前方に延出させた状態とし、他方の面部２４６を、ガイド板２３４，２３５に垂直をなして鉛直延在する状態で収納空間２３６内に突出させた状態が定状態とされており、この状態から面部２４６の後方への揺動が規制され、面部２４６の前方への揺動が許容されていて、さらに、定状態になる方向に図示せぬバネで付勢されている。
同様に、可動板２５２，２５２は、一方の面部２５０をガイド板２３４，２３５に平行に鉛直延在させかつ軸部２４４から前方に延出させた状態とし、他方の面部２５１を、ガイド板２３４，２３５に垂直をなして鉛直延在する状態で収納空間２３６内に突出させた状態が定状態とされており、この状態から面部２５１の後方への揺動が規制され、面部２５１の前方への揺動が許容されていて、さらに、定状態になる方向に図示せぬバネで付勢されている。
【００３８】
なお、可動板２４７，２４７間の距離および可動板２５２，２５２間の距離は、後板２３８の後側から前側への移動および前側から後側への移動のいずれにおいても干渉せず許容するようになっている。また、後板２３８で搬送される紙幣束の後側から前側への移動を揺動により許容し前側から後側への移動を規制するようになっている。さらに、可動板２５２，２５２は、前板２４１をこれら可動板２５２，２５２よりも前側に配置することで、該前板２４１の前側から後側への移動を規制するようになっている。
【００３９】
ここで、前側の可動板２５２，２５２は、取込口２４２から投入され後板２３８の移動でガイド板２３４，２３５間で案内されて前側に移動する紙幣束Ｓ３を通過させ、通過後に図示せぬバネの付勢力で定状態に戻ることになる。そして、前側の可動板２５２，２５２は、この状態から後板２３８が後側に移動することで、後板２３８の移動は許容するものの前板２４１で付勢されて後退する紙幣束Ｓ３の同方向への通過を規制することになり、その結果、紙幣束Ｓ３を前板２４１側から受ける付勢力で当接させて支持する。
なお、後側の可動板２４７，２４７は、主に取込口２４２から取り込まれた紙幣束Ｓ３をガイドするために設けられている。
【００４０】
筐体２３３の前部には、左右方向に沿って鉛直延在する前側ガイド板２５４が設けられており、該前側ガイド板２５４と筐体２３３の前面部２５５との間には、一の側方（具体的には図３における右方）に形成された繰出口２５６から紙幣束Ｓ３を繰り出させる紙幣束繰出機構２５７が設けられている。ここで、筐体２３３の前端部の右側には角を落とすように段部２５８が形成されており、この段部２５８内に繰出口２５６は形成されている。
また、図４，図１２に示すように、前側ガイド板２５４には板厚方向に貫通する窓部４００が形成されており、図２，図１２に示すように、前面部２５５には、前記窓部４００と前後左右の位置を合わせて板厚方向に貫通する窓部４０１が形成されている。
【００４１】
｛紙幣束繰出機構｝
前側ガイド板２５４と筐体２３３の前面部２５５との間部分には、その上部に、図４および図５に示すように、左右方向に延在するよう位置固定で二本の平行な摺動軸２６０，２６０が設けられており、その下部にも、左右方向に延在するよう位置固定で二本の平行な摺動軸２６１，２６１が設けられている。そして、上側の摺動軸２６０，２６０にはピン２６２を前側に突出させた摺動ブロック２６３が摺動自在に嵌合されており、下側の摺動軸２６１，２６１にもピン２６４を前側に突出させた摺動ブロック２６５が左右方向に摺動自在となるよう嵌合されている。上側の摺動ブロック２６３の後側には、収納空間２３６内に突出するようにプッシャ２６６が、下側の摺動ブロック２６７の後側にも、収納空間２３６内に突出するようにプッシャ２６５が、それぞれ固定されている。
【００４２】
摺動ブロック２６３のピン２６２には、駆動アーム２６８が嵌合されている。すなわち、駆動アーム２６８には、一端にその長さ方向に沿って延在する長孔２６９が形成されており、該長孔２６９にピン２６２が移動および回転自在に嵌合されている。そして、駆動アーム２６８の他端は、ピン２７０を介して、筐体２３３に固定された支持部材２７１に位置固定で回転自在に支持されている。
同様に、摺動ブロック２６５のピン２６４には、駆動アーム２７２が嵌合されている。すなわち、駆動アーム２７２にも、一端にその長さ方向に沿って延在する長孔２７３が形成されており、該長孔２７３にピン２６４が移動および回転自在に嵌合されている。そして、駆動アーム２７２の他端は、ピン２７４を介して支持部材２７１に位置固定で回転自在に支持されている。
また、両駆動アーム２６８，２７２には、中間位置にもそれぞれの長さ方向に沿って延在する長孔２７６，２７７が形成されており、これらの長孔２７６，２７７には、リンク部材２７８が両端のピン２７９，２８０を移動および回転自在に嵌合させている。このリンク部材２７８は、中央において摺動ブロック２８１に固定されている。
【００４３】
前側ガイド板２５４と筐体２３３の前面部２５５との間の上下方向における中央には、支持部材２７１に両端が支持された状態で左右方向に延在するよう三本の摺動軸２８３，２８３，２８３が位置固定で配置されている。そして、上記摺動ブロック２８１はこれら摺動軸２８３，２８３，２８３に摺動自在に嵌合されている。この摺動ブロック２８１には、駆動ピン２８４が前側に固定されており、この駆動ピン２８４は、筐体２３３の前面部２５５に左右方向に延びるよう形成された長孔２８５を通って筐体２３３から前方に突出している。
【００４４】
この紙幣束繰出機構２５７は、駆動ピン２８４を左方に位置させると、プッシャ２６６，２６７を水平方向における位置を合わせた状態のまま左方に位置させることになり、この状態で後板２３８を前進させて前板２４１とで挟持しつつ収納空間２３６内の紙幣束Ｓ３を移動させると、前板２４１が前進端位置に位置したとき、最も前側の紙幣束Ｓ３を前側ガイド板２５４に当接させるとともにプッシャ２６６，２６７の右方に配置させることになる。また、この状態において、紙幣束繰出機構２５７は、前側ガイド板２５４の窓部４００と前面部２５５の窓部４０１との間には、その一部をも位置させない状態となる（図４に一点鎖線で示す駆動アーム２６８の状態参照）。そして、この状態から駆動ピン２８４を右方すなわち繰出方向に移動させると、摺動ブロック２８１およびリンク部材２７８を介して両駆動アーム２６８，２７２を揺動させ摺動ブロック２６３，２６５すなわちプッシャ２６６，２６７を水平方向における位置を合わせた状態のまま駆動ピン２８４と同じ右方に移動させることになり、その結果、プッシャ２６６，２６７が最も前側の紙幣束Ｓ３を右方に押し出し繰出口２５６から繰り出させる。ここで、この紙幣束繰出機構２５７自体には、プッシャ２６６，２６７を移動させるための駆動部の駆動力が直接連結されていない。
なお、図３に示す状態は、紙幣束Ｓ３を受け入れるときの各部の位置を示したものであり、後板４３の本来の「待機位置」は、図３に一点鎖線で示す位置となる。
【００４５】
以下で、紙幣束収納庫２２７〜２２９の作動について説明する。
まず、待機状態において、すでに収納された紙幣束Ｓ３は、前板２４１と前側の可動板２５２，２５２との間に挟持されており、後板２３８は、可動板２５２，２５２と可動板２４７，２４７との間に位置している（図３に示す一点鎖線の状態）。また、紙幣束収納庫２２７〜２２９にそれぞれ設けられたプッシャ２６６，２６７は、右側すなわち繰出口２５６側に位置している。
この状態から紙幣束Ｓ３を収納させる際には、まず、制御部は後板２３８を後退させる。
【００４６】
このように後板２３８を後退端に位置させた状態で取込口２４２から紙幣束Ｓ３を投入させる。そして、紙幣束Ｓ３の投入が確認されると、制御部は、後板２３８を紙幣束Ｓ３とともに、後側の可動板２４７，２４７および前側の可動板２５２，２５２を順次揺動させつつ通過するまで前進させる。なお、前側の可動板２５２，２５２を通過する際に後板２３８は、前進させていた紙幣束Ｓ３を、その前に可動板２５２，２５２に当接されていた前板２４１、または該前板２４１と可動板２５２，２５２との間にすでに収納されていた紙幣束Ｓ３に当接させ、すべて一体に前方にバネの付勢力に抗して移動させる。一方、後側の可動板２４７，２４７および前側の可動板２５２，２５２は、後板２３８が通過した後には、図示せぬバネの付勢力で定状態に戻る。
【００４７】
そして、制御部は、後板２３８を前側の可動板２５２，２５２を通過させた後に後退させ、待機位置に戻す。この後板２３８の後退で、該後板２３８とともに前板２４１が図示せぬバネの付勢力で後板２３８との間で挟持していた紙幣束Ｓ３とともに後退するが、前側の可動板２５２，２５２は揺動が規制されることになり、紙幣束Ｓ３は該可動板２５２，２５２で後側への移動が規制されるため、バネの付勢力により可動板２５２，２５２と前板２４１とで挟持される。
以上により、収納作動が終了する。
【００４８】
一方、紙幣束Ｓ３を繰り出す場合には、制御部は、プッシャ２６６，２６７を左側すなわち繰出口２５６に対し反対側に移動させるとともに、後板２３８を待機位置から前進させる。すると、後板２３８は可動板２５２，２５２と前板２４１とで挟持されていた紙幣束Ｓ３を押圧し、可動板２５２，２５２から離間させつつ前板２４１とで挟持して移動させる。そして、制御部は、前板２４１が図５に示すように、前側ガイド板２５４と略同一面となる位置に達したことを図示しないセンサの検出結果から確認すると後板２３８を停止させる。この状態において、最も前側の紙幣束Ｓ３は上述したようにプッシャ２６６，２６７の右方に位置することになる。そして、この状態から駆動ピン２８４が繰出方向に移動させられると、プッシャ２６６，２６７が繰出方向に移動することになり、その結果、プッシャ２６６，２６７が最も前側の紙幣束Ｓ３のみを右方に押し出し繰出口２５６から繰り出させる。
【００４９】
繰り出しが終了すると、制御部は後板２３８を待機位置まで後退させる。すると、該後板２３８とともに前板２４１がバネの付勢力で後板２３８との間で挟持していた紙幣束Ｓ３とともに後退するが、紙幣束Ｓ３は該可動板２５２，２５２で後側への移動が規制されるため、バネの付勢力により可動板２５２，２５２と前板２４１とで挟持される。
【００５０】
〔紙幣束振分収納部〕
紙幣束振分収納部２３０は図２および図６に示すように、上２段の紙幣束金種庫２２７，２２８の後方側に昇降可能に設けられ、紙幣結束・搬送ユニット２４の第１紙幣束入出ボックス１４０から受け渡された紙幣束Ｓ３を最上段以外の各紙幣束収納庫２２８，２２９に受け渡す紙幣束受渡部２８７と、紙幣束受渡部２８７が中段の紙幣束収納庫２２８に紙幣束を収納させる際に、該紙幣束収納庫２２８を移動させる紙幣束収納庫移動機構２８８とによって構成されている。
【００５１】
｛紙幣束受渡部｝
紙幣束受渡部２８７は、図６に示すように、第２紙幣束入出ボックス２９０を有している。なお、第１紙幣束入出ボックス１４０も、この第２紙幣束入出ボックス２９０とほぼ同様の構成となっている。
第２紙幣束入出ボックス２９０は、紙幣束をその中に取り込む、長手方向における両端が開口する箱状の筐体部材２９１を有しており、該筐体部材２９１は、長手方向を上下にし厚さ方向を前後方向にして配置されている。
そして、紙幣束受渡部２８７は、筐体部材２９１を上記配置状態で昇降移動可能に支持する図示せぬスライドレールと、該スライドレールに沿って筐体部材２９１を昇降させる昇降駆動部２９２とを有している。
【００５２】
この昇降駆動部２９２は、上下に配置された２つのプーリ２９３，２９３とこれらプーリ２９３，２９３間に張り渡される駆動ベルト２９４とを有しており、該駆動ベルト２９４の一部に第２紙幣束入出ボックス２９０の筐体部材２９１を係合させている。そして、プーリ２９３，２９３の一方を図示しないモータで正逆駆動することによって、第２紙幣束入出ボックス２９０を昇降移動させるようになっている。
【００５３】
第２紙幣束入出ボックス２９０の筐体部材２９１内の一端開口側には、一対の駆動伝達軸２９６，２９７がそれぞれの両端において該筐体部材２９１に位置固定で回転自在に支持されている。これら駆動伝達軸２９６，２９７は、筐体部材２９１の短手方向に沿うように互いに平行をなして、筐体部材２９１の厚み方向（前後方向）の両端位置に配置されている。そして、後方側の駆動伝達軸２９６は前方側の駆動伝達軸２９７よりも筐体部材２９１内における奥方に配置されている。
筐体部材２９１内の他端開口側には、駆動伝達軸２９６，２９７に平行をなす回転軸２９８がその両端において該筐体部材２９１に位置固定で回転自在に支持されている。この回転軸２９８は、筐体部材２９１の厚さ方向において駆動伝達軸２９６と同じ一端位置に配置されている。
【００５４】
筐体部材２９１の長手方向における中間位置および回転軸２９８側には、回転軸２９８等と略平行をなすように駆動伝達軸２９９および回転軸３００が筐体部材２９１の厚み方向に移動自在かつ回転自在に配置されている。
そして、駆動伝達軸２９７にはプーリ３０１が固定され、駆動伝達軸２９９には図示せぬプーリが固定されており、これらの間には無端状の搬送ベルト３０２が張り渡されている。また、駆動伝達軸２９９にはさらに二つ（一方のみ図示）のプーリ３０３が固定され、回転軸３００には二つ（一方のみ図示）のプーリ３０４が固定されており、これらの間には無端状の二本（一方のみ図示）の搬送ベルト３０５が張り渡されている。さらに、駆動伝達軸２９６にはプーリ３０６が固定されており、回転軸２９８にはプーリ３０７が固定されていて、これらの間には無端状の搬送ベルト３０８が張り渡されている。
【００５５】
駆動伝達軸２９６，２９７は筐体部材２９１の外側に設けられた図示せぬモータの正逆駆動によって回転させられることになり、この回転で搬送ベルト３０２，３０５，３０８が駆動され、搬送ベルト３０２，３０５と搬送ベルト３０８との間への紙幣束の取り込みあるいは繰り出しが可能となる。
なお、駆動伝達軸２９９および回転軸３００はいずれも図示しないバネ材で搬送ベルト３０８の方向に付勢されており、これによって、搬送ベルト３０２，３０５と搬送ベルト３０８との間へ取り込んだ紙幣束の厚さに応じて確実に該紙幣束を保持することができるようになっている。また、搬送ベルト３０５は、紙幣束を取り込まない状態において搬送ベルト３０８に対し平行をなしており、紙幣束を取り込んだ状態においても搬送ベルト３０８に対し平行をなすことが可能となっている。他方、搬送ベルト３０２は、紙幣束を取り込まない状態において搬送ベルト３０８に対し駆動伝達軸２９７側が離間するように傾斜しており、紙幣束を取り込んだ状態において搬送ベルト３０８に対しほぼ平行をなすことが可能となっている。
【００５６】
また、筐体部材２９１内には、駆動伝達軸２９７，２９９に両端が支持されることにより、搬送ベルト３０２と略同様に揺動するガイド部材３０９が、搬送ベルト３０２の搬送ベルト３０８側の辺部より若干引込んだ位置に該辺部と略平行をなすよう設けられている。さらに、筐体部材２９１内には、駆動伝達軸２９９および回転軸３００に支持されることにより、搬送ベルト３０５と略同様に揺動するガイド部材３１０が、搬送ベルト３０５の搬送ベルト３０８側の辺部より若干引込んだ位置に該辺部と略平行をなすよう設けられている。加えて、筐体部材２９１内には、搬送ベルト３０８の搬送ベルト３０２，３０５側の辺部より若干引込んだ位置に該辺部と略平行をなすように配置されたガイド部材３１１が、筐体部材２９１自体に固定されている。このガイド部材３１１は、筐体部材２９１の上端部まで延出している。
【００５７】
そして、上側のガイド部材３０９とガイド部材３１１とにより、紙幣束を受け取る受取口３１３が第２紙幣束入出ボックス２９０の長手方向の一端上側に構成され、他方、ガイド部材３１０，３１１により、紙幣束を繰り出す放出口３１４が第２紙幣束入出ボックス２９０の長手方向の他端下側に構成される。ここで、受取口３１３は水平方向における位置を、紙幣結束・搬送ユニット２４の底板６４に形成された第２投入口１２４と一致させている。
なお、筐体部材２９１内には、搬送ベルト３０２，３０５と搬送ベルト３０８との間の紙幣束の有無を検出する紙幣束有無検知センサ３１５，３１６が設けられている。一方の紙幣束有無検知センサ３１５は、放出口３１４の位置における紙幣束の有無を検出し、他方の紙幣束有無検知センサ３１６は、受取口３１３および放出口３１４の中間位置における紙幣束の有無を検出する。
【００５８】
この第２紙幣束入出ボックス２９０が昇降駆動部２９２により上昇端位置に位置するとき、該第２紙幣束入出ボックス２９０の受取口３１３が第２投入口１２４のすぐ真下に配置されることになる。また、第２紙幣束入出ボックス２９０が上昇端位置に位置し、かつ中段の紙幣束収納庫２２８が後退端位置（後述する）に位置するとき、第２紙幣束入出ボックス２９０の放出口３１４は、紙幣束収納庫２２８の取込口２４２のすぐ真上に配置されることになる。さらに、この第２紙幣束入出ボックス２９０が昇降駆動部２９２により下降端位置に位置するとき、該第２紙幣束入出ボックス２９０の放出口３１４が下段の紙幣束収納庫２２９の取込口２４２のすぐ真上に配置されることになる。
【００５９】
｛紙幣束収納庫移動機構｝
図６に示すように、金種別の紙幣束収納庫２２７〜２２９は、その両側部および下部がそれぞれ一対（片側のみ図示）のガイドフレーム３１８〜３２０により支持されており、このうちの上段および下段の紙幣束収納庫２２７，２２９に応じたガイドフレーム３１８，３２０は、図示しない機体フレームに固定されている。これにより、上段および下段の紙幣束収納庫２２７，２２９は、ガイドフレーム３１８，３２０にセットされることにより、それぞれの前後、左右および上下のすべての方向の位置が固定されることになる。
一方、中段の紙幣束収納庫２２８を支持するガイドフレーム３１９と機体フレームとの間には、ガイドフレーム３１９を前後方向に移動自在とする一対（片側のみ図示）のスライドレール３２１が設けられている。これにより、中段の紙幣束収納庫２２８は、ガイドフレーム３１９にセットされることにより、その左右および上下方向の位置が固定とされた状態で前後に所定範囲のみガイドフレーム３１９と一体に移動可能となる。
【００６０】
そして、この中段の紙幣束収納庫２２８がセットされるガイドフレーム３１９の一方には、ラックギア３２３が固定され、さらに機体側には、このラックギア３２３に噛み合うピニオンギア３２４、該ピニオンギア３２４と同軸上に設けられるベベルギア３２５、該ベベルギア３２５に噛み合うベベルギア３２６、該ベベルギア３２６をその駆動軸に固定させるモータ３２７とが設けられており、このモータ３２７が正逆駆動されることによって、ガイドフレーム３２０と一体に紙幣束収納庫２２８を前後方向に所定の範囲だけ移動させるようになっている。
【００６１】
ここで、金種別の紙幣束収納庫２２７〜２２９は、すべて左右方向の幅および高さが同じとされており、また、下段にセットされる紙幣束収納庫２２９は前後方向長さが長く、上段および中段にセットされる二つの紙幣束収納庫２２７，２２８は下段の紙幣束収納庫２２９より短い同じ長さとされている。
そして、それぞれ紙幣束収納庫２２７〜２２９が対応するガイドフレーム３１８〜３２０にセットされた状態においては、すべての紙幣束収納庫２２７〜２２９が、常に、左右方向の位置を一致させ、かつ前後方向の位置を重ね合わせることになる。
【００６２】
また、それぞれ紙幣束収納庫２２７〜２２９がガイドフレーム３１８〜３２０にセットされ、中段の紙幣束収納庫２２８が前進端に位置する状態で、すべての紙幣束収納庫２２７〜２２９は、前端部の前後方向の位置を一致させることになる。しかも、このとき、すべての紙幣束収納庫２２７〜２２９は、それぞれの繰出口２５６を同側（右前側）に向けかつ水平方向における位置を一致させる。
さらに、それぞれ紙幣束収納庫２２７〜２２９がガイドフレーム３１８〜３２０にセットされ、中段の紙幣束収納庫２２８が後退端に位置する状態で、中段の紙幣束収納庫２２８と下段の紙幣束収納庫２２９とが後端部の前後方向の位置を一致させることになる。
【００６３】
そして、上段にセットされた紙幣束収納庫２２７の取込口２４２は、常に紙幣結束・搬送ユニット２４の底板６４に形成された第１投入口１２３のすぐ真下に水平方向における位置を一致させた状態で配置されることになる。これにより、上段にセットされた紙幣束収納庫２２７は、第１投入口１２３に第１紙幣束入出ボックス１４０から投入された紙幣束をそのまま取込口２４２を介して収納空間２３６に受け入れることになる。
また、下段にセットされた長い紙幣束収納庫２２９の取込口２４２は、第２紙幣束入出ボックス２９０の放出口３１４の真下に水平方向における位置を一致させた状態で配置されることになる。ここで、中段にセットされた紙幣束収納庫２２８が前進端に位置する状態で、下段の紙幣束収納庫２２９は、その後側の部分を上段および中段の紙幣束収納庫２２７，２２８よりも後側に突出させることになり、この突出部分に取込口２４２が位置することになる。
さらに、中段にセットされた紙幣束収納庫２２８は、後退端に位置する状態において、その取込口２４２の水平方向における位置を第２紙幣束入出ボックス２９０の放出口３１４と一致させることになる。
【００６４】
〔紙幣束出金部〕
紙幣束出金部２３１は、図２に示すように、移動することによりすべての金種別の各紙幣束収納庫２２７〜２２９の繰出口２５６から繰り出された紙幣束を受け入れ可能であるとともに受け入れた紙幣束を、機外に開口可能な紙幣束出金口１７に向け搬送する一つすなわちすべての金種別の紙幣束収納庫２２７〜２２９に共用の紙幣束搬送リフト（移動体）３３０と、該紙幣束搬送リフト３３０を昇降移動させる一つのリフト駆動機構部３３１とから構成されている。
ここで、紙幣束搬送リフト３３０は、中段の紙幣束収納庫２２８が前進端に位置し、すべての紙幣束収納庫２２７〜２２９の繰出口２５６が水平方向における位置を一致させた状態にあるとき、すべての紙幣束収納庫２２７〜２２９の繰出口２５６に対向可能な水平方向位置において昇降可能とされている。なお、紙幣束搬送リフト３３０は、その移動が昇降のみとされている。
【００６５】
｛紙幣束搬送リフト｝
図２，図７，図１２に示すように、紙幣束搬送リフト３３０は、すべての紙幣束収納庫２２７〜２２９のプッシャ２６６，２６７を駆動可能な紙幣束繰出駆動部３３２と、すべての紙幣束収納庫２２７〜２２９から立位姿勢のまま繰り出された紙幣束を立位姿勢のまま受け入れて保持する紙幣束受入部３３３と、紙幣束収納庫２２７〜２２９内に収納された状態にあって最も繰出側に位置された紙幣束の表面の画像パターンを検出可能な検出部４０３（検出手段）と、これらを支持する支持フレーム３３４とから構成され、この支持フレーム３３４の左右両側と図示しない機体フレームとの間には該支持フレーム３３４の昇降移動を可能とする一対のスライドレール３３５，３３５（図２参照：一部図示略）が設けられている。
ここで、上記のように、プッシャ２６６，２６７を移動させるための駆動源は、紙幣束収納庫２２７〜２２９には設けられておらず、紙幣束搬送リフト３３０に紙幣束繰出駆動部３３２として設けられている。
なお、図２に示すように、該紙幣束搬送リフト３３０は、下段の紙幣束収納庫２２９より低い下降端位置にあるときが「待機位置」となる。
【００６６】
・紙幣束繰出駆動部
紙幣束繰出駆動部３３２は、紙幣束収納庫２２７〜２２９にそれぞれ設けられた駆動ピン２８４，２８４，２８４を択一的に左右方向に駆動することにより、紙幣束収納庫２２７〜２２９のうちの選択された駆動ピン２８４を有する一つのみから紙幣束を一束ずつ繰り出させるもので、図７〜図９に示すように、支持フレーム３３４との間に介在された前後方向に延在するスライドレール３３７および凹凸形状のガイド部材３３８（図８参照）により、支持フレーム３３４に対し前後方向に移動自在となるよう支持された支持部材３３９を有している。
この支持部材３３９には、左右方向に延在するように上下一対の平行な摺動軸３４０，３４０がそれぞれの両端において固定されており、これら摺動軸３４０，３４０には摺動ブロック３４１が左右方向に摺動自在となるよう支持されている。
【００６７】
この摺動ブロック３４１の後部の左右方向の中間所定位置には、鉛直延在する垂直溝３４２が上下に貫通するよう形成されている。
また、この摺動ブロック３４１の前部には鉛直延在する長溝３４３が上下方向の中間所定範囲に形成されている。
摺動ブロック３４１の前方には、支持部材３３９に回転自在に支持された回転軸３４４と、該回転軸３４４の一端に該回転軸３４４から半径方向外方に延出するよう固定されることにより該回転軸３４４を中心に回転可能な回転アーム３４５とが配置されている。そして、回転アーム３４５の半径方向先端には、回転軸３４４に対し反対方向に突出するようにピン３４６が支持されており、該ピン３４６が長溝３４３に回転および移動自在に嵌合されている。
【００６８】
他方、回転軸３４４の他端には、ギア３４８が取り付けられており、該ギア３４８は、支持部材３３９に設けられるモータ３４９の駆動軸に取り付けられたギア３５０に噛み合わされている。これにより、モータ３４９が正逆駆動するとその駆動力がギア３５０、ギア３４８、回転軸３４４、回転アーム３４５、ピン３４６を介して摺動ブロック３４１に伝達され、該摺動ブロック３４１を左右に移動させる。
【００６９】
ここで、摺動ブロック３４１の垂直溝３４２には、紙幣束搬送リフト３３０の昇降位置に応じて、紙幣束収納庫２２７〜２２９から突出する上述した駆動ピン２８４，２８４，２８４のいずれか一つが択一的に係合可能である。よって、垂直溝３４２にいずれか一つの駆動ピン２８４を係合させた状態で、摺動ブロック３４１をモータ３４９で右方に移動させることによって紙幣束繰出機構２５７のプッシャ２６６，２６７を繰出方向に移動させると、紙幣束収納庫２２７〜２２９のうち、駆動ピン２８４を垂直溝３４２に係合させている一つのみから紙幣束を繰り出させることになり、紙幣束搬送リフト３３０の昇降位置を変えて係合する駆動ピン２８４を変えることによって、すべての紙幣束収納庫２２７〜２２９から紙幣束を繰り出すことが可能となっている。
【００７０】
また、図７に示すように、支持フレーム３３４と支持部材３３９との間には、該支持部材３３９を後方に付勢するバネ材３５１が設けられている。
さらに、この支持部材３３９の側部には、支持フレーム３３４に形成された前後方向に延びる長孔３５２から左方に突出するように固定軸３５３が固定されており、該固定軸３５３の先端には同軸をなしてローラ３５４が回動自在に支持されている。他方で、該ローラ３５４の後方には位置固定のガイドレール３５５が上下方向に延在して設けられており、バネ材３５１の付勢力によってローラ３５４はガイドレール３５５に常に当接させられる。このガイドレール３５５の形状によって、支持部材３３９は、紙幣束搬送リフト３３０の昇降移動の際に前後方向に移動する。
【００７１】
すなわち、図２に示すように、ガイドレール３５５は、摺動ブロック３４１を紙幣束収納庫２２７〜２２９から一定距離離間させる直線形状部３５６の中に、摺動ブロック３４１が紙幣束収納庫２２７〜２２９の駆動ピン２８４，２８４，２８４と同じ高さ位置に位置した場合にのみ垂直溝３４２を駆動ピン２８４と係合させるべく該摺動ブロック３４１を紙幣束収納庫２２７〜２２９の方向に移動させるように緩やかな切欠３５７，３５７，３５７が形成された形状をなしている。
なお、このように紙幣束繰出駆動部３３２を前後方向に移動させる構成としたのは、紙幣束収納庫２２７〜２２９に設けられる図示せぬ取手等との干渉によって、摺動ブロック３４１と駆動ピン２８４が係合する位置のまま昇降移動ができないという構成上の問題があるためであり、したがって、この紙幣束収納庫２２７〜２２９の前面部２５５に駆動ピン２８４以外何もなければ、このような構成は必要なく、摺動ブロック３４１を、垂直溝３４２が駆動ピン２８４と係合可能な水平方向の一定位置において、昇降させればよいことになる。
【００７２】
・紙幣束受入部
紙幣束受入部３３３は、受け入れた紙幣束を次に受け入れる紙幣束の障害となる位置から逃がすとともに、すべての受け入れた紙幣束を整列状態で保持するもので、図７に示すように、支持フレーム３３４内の紙幣束繰出駆動部３３２に隣接する位置には、紙幣束収納庫２２７〜２２９の繰出口２５６から繰出された紙幣束を収納する収納空間３６０が、該支持フレーム３３４とガイド部材３６１，３６２とによって形成されている。すなわち、収納空間３６０は、右方がガイド部材３６１で、前方がガイド部材３６２で、後方および下方が支持フレーム３３４でそれぞれ囲まれることにより形成されている。
【００７３】
収納空間３６０は、紙幣束収納庫２２７〜２２９のうち、紙幣束繰出駆動部３３２が駆動ピン２８４を係合させている一つから繰り出される紙幣束のみを受け入れるようになっており、このため、該一つの繰出口２５６の下端高さに支持フレーム３３４の底面部３３４ａの高さを合わせるようになっている。そして、紙幣束搬送リフト３３０の昇降位置を変えることによって、収納空間３６０は、すべての紙幣束収納庫２２７〜２２９から紙幣束を受け入れ可能となっている。
ガイド部材３６１と支持フレーム３３４との間には、図７、図１０に示すように、前後方向に延在する２つの摺動軸３６３，３６３が上下に配置されており、これら摺動軸３６３，３６３には、摺動ブロック３６４が前後方向に摺動自在となるように支持されている。
【００７４】
また、ガイド部材３６２とさらに前方側に設けられる支持フレーム３３４の前面部３５９との間には、モータ３６５と、該モータ３６５の駆動軸に基端側が固定される回転アーム３６６と、一端を回転アーム３６６のモータ３６５に対し反対の先端に、他端を前記摺動ブロック３６４にそれぞれ回転自在に取り付けられる連結アーム３６７とが設けられており、このモータ３６５の正逆駆動により、回転アーム３６６および連結アーム３６７を介して摺動ブロック３６４が前後方向に移動する。
そして、摺動ブロック３６４には、収納空間３６０に突出する移動ガイド部材３６９が固定されている。
【００７５】
また、収納空間３６０内における移動ガイド部材３６９の前側には、挟持板３７０が設けられており、該挟持板３７０は移動ガイド部材３６９に対し前後方向に移動可能であるとともに常に該移動ガイド部材３６９に当接する方向に付勢されている。
【００７６】
すなわち、図１１に示すように、挟持板３７０には上下に離間して支持部材３７１，３７２が固定されており、該挟持板３７０の前方にある支持フレーム３３４の前面部３５９にも支持部材３７３，３７４が上下に離間して固定されている。そして、上側の支持部材３７１，３７３には、それぞれ上下方向に延在するよう長孔３７５，３７６が形成されている。支持部材３７１の長孔３７５には、アーム部材３７８の一端の移動軸３７９が移動および回転自在に嵌め合わされており、該アーム部材３７８の他端の固定軸３８０は支持部材３７４に位置固定で回転自在に連結されている。同様に、支持部材３７３の長孔３７６には、アーム部材３８２の一端の移動軸３８３が移動および回転自在に嵌め合わされており、該アーム部材３８２の他端の固定軸３８４は支持部材３７２に位置固定で回転自在に連結されている。そして、これらアーム部材３７８，３８２は中央位置において支持軸３８５により互いに回転自在に連結されており、これらアーム部材３７８，３８２の間には、これらを前後方向に沿わせる方向に付勢するバネ材３８６が設けられている。
これによって、挟持板３７０は常に後方すなわち移動ガイド部材３６９の方向に付勢されており、その結果、支持フレーム３３４の底面部３３４ａで下側が支持されつつプッシャ２６６，２６７で押し出され移動ガイド部材３６９との間に挿入される紙幣束を保持可能となっている。
【００７７】
移動ガイド部材３６９は、モータ３６５の正逆駆動により、摺動ブロック３６４とともに前後方向に移動することになるため、該移動ガイド部材３６９と挟持板３７０は、紙幣束収納庫２２７〜２２９から繰り出された紙幣束を相互間に挟持するとともに、挟持した紙幣束を必要に応じて前後に移動させる。
移動ガイド部材３６９の挟持板３７０側かつ紙幣束収納庫２２７〜２２９側（図７における左側）には、紙幣束収納庫２２７〜２２９側に位置するほど後方に位置するよう傾斜した状態で鉛直延在する傾斜面３８８が形成され、該傾斜面３８８の紙幣束収納庫２２７〜２２９に対し反対側（図７における右側）には、左右方向に鉛直延在する挟持面３８９が形成されている。他方、挟持板３７０の移動ガイド板３６９側には、左右方向に鉛直延在する挟持面３９０のみが形成されている。
【００７８】
ここで、紙幣束収納庫２２７〜２２９のうち、紙幣束繰出駆動部３３２が駆動ピン２８４を係合させている一つからプッシャ２６６，２６７で繰り出された紙幣束が、図１２に示すように、支持フレーム３３４の底面部３３４ａで下側が支持されつつ移動ガイド部材３６９の方向に移動することになるが、その際に、繰り出された紙幣束は、すでに保持された最後方の紙幣束Ｓ３（保持された紙幣束がない場合は挟持板３７０）の後側に当接しつつ移動ガイド部材３６９の傾斜面３８８に沿って斜め前方に移動することで、挟持板３７０と保持された全紙幣束Ｓ３と（保持された紙幣束がない場合は挟持板３７０）に移動ガイド部材３６９から離間する前方向の力を付与する。よって、繰り出された紙幣束は、挟持板３７０とすでに保持された全紙幣束Ｓ３と（保持された紙幣束がない場合は挟持板３７０）を移動ガイド部材３６９から離間させつつすでに保持された全紙幣束（保持された紙幣束がない場合は挟持板３７０）と移動ガイド部材３６９との間に入り込む。また、傾斜面３８８に沿って前方に移動することで、紙幣束は、次に繰り出される紙幣束の障害となる位置から逃がされることになる。
【００７９】
このようにして、すでに保持された紙幣束の最も移動ガイド部材３６９側のものと移動ガイド部材３６９との間に、順次新たな紙幣束を入り込ませることで、底面部３３４ａで下側を支持しつつ移動ガイド部材３６９と挟持板３７０との間に紙幣束を整列状態で保持することになる。
なお、図７に示す移動ガイド部材３６９の位置が「待機位置」となる。
また、図７に示すように、収納空間３６０内の移動ガイド部材３６９等の移動に障害とならない位置とガイド部材３６２および前面部３５９間とには、収納空間３６０内に収納される紙幣束の有無を検出する紙幣束有無検知センサ３９１の各発光／受光素子が設けられている。
【００８０】
｛リフト駆動機構部｝
リフト駆動機構部３３１は、図２に示すように、位置固定で上下に離間して配置されたプーリ３９３，３９３と、これらに張り渡される駆動ベルト３９４と、これらプーリ３９３，３９３の一方を正逆駆動する図示しない駆動部とから構成されており、該駆動ベルト３９４の一部が紙幣束搬送リフト３３０の支持フレーム３３４に固定されていて、これにより、図示しない駆動部の正逆駆動で該紙幣束搬送リフト３３０を、すべての金種別の紙幣束収納庫２２７〜２２９の繰出口２５６から繰り出された紙幣束を受け入れ可能となるように、スライドレール３３５，３３５に沿って昇降移動させるようになっている。
【００８１】
｛検出部｝
図１２に示す検出部４０３は、紙幣束搬送リフト３３０の左右方向における紙幣束繰出駆動部３３２側に該紙幣束繰出駆動部３３２に対し上側に位置をずらして設けられている。そして、検出部４０３は、紙幣束繰出駆動部３３２の摺動ブロック３４１の垂直溝３４２が、紙幣束収納庫２２７〜２２９のうちのいずれか一つの紙幣束収納庫の駆動ピン２８４に係合した状態において、該一つの紙幣束収納庫の前側ガイド板２５４に形成された窓部４００および前面部２５５に形成された窓部４０１を通じて、該一つの紙幣束収納庫に前側ガイド板２５４に当接状態にある（すなわち該一つの紙幣束収納庫に収納された状態にあって最も繰出側に位置する）紙幣束に光を照射するＬＥＤ（光照射手段）４０４と、該ＬＥＤ４０４で照射された光の当該紙幣束の表面からの反射光を集光するレンズ（集光手段）４０５と、該レンズ４０５で集光された光すなわち画像パターンを検出して制御部に送信するＣＣＤ（画像検出手段）４０６とを有している。
【００８２】
具体的に、検出部４０３は、紙幣束収納庫２２７からＡ金種の紙幣束を繰り出させるため紙幣束繰出駆動部３３２がその摺動ブロック３４１の垂直溝３４２を紙幣束収納庫２２７の駆動ピン２８４に係合させた状態において、紙幣束収納庫２２７の前側ガイド板２５４に形成された窓部４００および前面部２５５に形成された窓部４０１を通じて、紙幣束収納庫２２７内で前側ガイド板２５４に当接した状態にある紙幣束にＬＥＤ４０４で光を照射し、当該紙幣束の表面からの反射光すなわち画像パターンをレンズ４０５で集光した後に、ＣＣＤ４０６で検出する。
【００８３】
同様に、検出部４０３は、紙幣束収納庫２２８からＢ金種の紙幣束を繰り出させるため紙幣束繰出駆動部３３２がその摺動ブロック３４１の垂直溝３４２を紙幣束収納庫２２８の駆動ピン２８４に係合させた状態において、紙幣束収納庫２２８の前側ガイド板２５４に形成された窓部４００および前面部２５５に形成された窓部４０１を通じて、紙幣束収納庫２２８内で前側ガイド板２５４に当接した状態にある紙幣束にＬＥＤ４０４で光を照射し当該紙幣束の表面からの反射光すなわち画像パターンをレンズ４０５で集光した後に、ＣＣＤ４０６で検出する。
【００８４】
同様に、検出部４０３は、紙幣束収納庫２２９からＣ金種の紙幣束を繰り出させるため紙幣束繰出駆動部３３２がその摺動ブロック３４１の垂直溝３４２を紙幣束収納庫２２９の駆動ピン２８４に係合させた状態において、紙幣束収納庫２２９の前側ガイド板２５４に形成された窓部４００および前面部２５５に形成された窓部４０１を通じて、紙幣束収納庫２２９内で前側ガイド板２５４に当接した状態にある紙幣束にＬＥＤ４０４で光を照射し当該紙幣束の表面からの反射光すなわち画像パターンをレンズ４０５で集光した後に、ＣＣＤ４０６で検出する。
【００８５】
｛制御部｝
制御部は、紙幣束収納庫２２７〜２２９のうち検出部４０３の検出対象である一の紙幣束収納庫に収納された状態にあって最も繰出側に位置する紙幣束について検出部４０３により検出された表面の画像パターンに基づいて、当該紙幣束の金種を確認する確認手段と、当該紙幣束の表面の画像パターンから、確認手段が当該紙幣束が繰り出されるべき（言い換えれば、前記一の紙幣束収納庫に収納されているべき）金種と同じと確認したときに、当該紙幣束が収納されている前記一の紙幣束収納庫からの当該紙幣束の繰り出しを許可する許可手段と、当該紙幣束の表面の画像パターンから、確認手段が当該紙幣束が繰り出されるべき金種とは異なる（言い換えれば、前記一の紙幣束収納庫に収納されているべきではない）と確認したときに、当該紙幣束が収納されている前記一の紙幣束収納庫からの当該紙幣束の繰り出しを禁止する禁止手段とを有している。
【００８６】
また、制御部は、確認手段が、当該紙幣束の表面の画像パターンを上記のように確認した後に、許可手段で繰り出しが許可されると前記一の紙幣束収納庫からの当該紙幣束の繰り出しを行う一方、禁止手段で繰り出しが禁止されると前記一の紙幣束収納庫からの当該紙幣束の繰り出しを行わず、表示部１２により当該紙幣束収納庫に異金種の紙幣束が装填されていた旨の報知を画面表示および音声出力の少なくともいずれか一方で行わせる。
【００８７】
具体的に、制御部は、紙幣束収納庫２２７からＡ金種の紙幣束を繰り出させるに当って、紙幣束収納庫２２７に収納された状態にあって最も繰出側に位置する紙幣束の、検出部４０３により検出された表面の画像パターンを基準パターンと比較することにより当該紙幣束の金種を確認手段で確認する。そして、確認手段が当該紙幣束が繰り出されるべきＡ金種と同じと確認したときに、許可手段が、当該紙幣束が収納された紙幣束収納庫２２７からの当該紙幣束の繰り出しを許可することになり、その結果、紙幣束収納庫２２７から当該紙幣束が紙幣束搬送リフト３３０に繰り出される。他方、当該紙幣束の表面の画像パターンから、確認手段が当該紙幣束が繰り出されるべきＡ金種とは異なると確認したときに、禁止手段が当該紙幣束が収納された紙幣束収納庫２２７からの当該紙幣束の繰り出しを禁止することになり、その結果、紙幣束収納庫２２７からの当該紙幣束の紙幣束搬送リフト３３０への繰り出しを実行せず、表示部１２によりその旨の報知を画面表示および音声出力で行わせる。
【００８８】
同様に、制御部は、紙幣束収納庫２２８からＢ金種の紙幣束を繰り出させるに当って、紙幣束収納庫２２８に収納された状態にあって最も繰出側に位置する紙幣束の、検出部４０３により検出された表面の画像パターンを基準パターンと比較することにより当該紙幣束の金種を確認手段で確認する。そして、確認手段が当該紙幣束が繰り出されるべきＢ金種と同じと確認したときに、許可手段が、当該紙幣束が収納された紙幣束収納庫２２８からの当該紙幣束の繰り出しを許可することになり、その結果、紙幣束収納庫２２８から当該紙幣束が紙幣束搬送リフト３３０に繰り出される。他方、当該紙幣束の表面の画像パターンから、確認手段が当該紙幣束が繰り出されるべきＢ金種とは異なると確認したときに、禁止手段が当該紙幣束が収納された紙幣束収納庫２２８からの当該紙幣束の繰り出しを禁止することになり、その結果、紙幣束収納庫２２８からの当該紙幣束の紙幣束搬送リフト３３０への繰り出しを実行せず、表示部１２によりその旨の報知を画面表示および音声出力で行わせる。
【００８９】
同様に、制御部は、紙幣束収納庫２２９からＣ金種の紙幣束を繰り出させるに当って、紙幣束収納庫２２９に収納された状態にあって最も繰出側に位置する紙幣束の、検出部４０３により検出された表面の画像パターンを基準パターンと比較することにより当該紙幣束の金種を確認手段で確認する。そして、確認手段が当該紙幣束が繰り出されるべきＣ金種と同じと確認したときに、許可手段が、当該紙幣束が収納された紙幣束収納庫２２９からの当該紙幣束の繰り出しを許可することになり、その結果、紙幣束収納庫２２９から当該紙幣束が紙幣束搬送リフト３３０に繰り出される。他方、当該紙幣束の表面の画像パターンから、確認手段が当該紙幣束が繰り出されるべきＣ金種とは異なると確認したときに、禁止手段が当該紙幣束が収納された紙幣束収納庫２２９からの当該紙幣束の繰り出しを禁止することになり、その結果、紙幣束収納庫２２９からの当該紙幣束の紙幣束搬送リフト３３０への繰り出しを実行せず、表示部１２によりその旨の報知を画面表示および音声出力で行わせる。
【００９０】
以上に述べた紙幣束収納・出金ユニット２５の紙幣束出金処理について説明する。
「紙幣束出金処理」が開始されると、まず、制御部は、中段の紙幣束収納庫２２８が前進端の「待機位置」に位置するか否かを確認し、「待機位置」にない場合には「待機位置」に位置させる。そして、図２に示すように「待機位置」にある紙幣束搬送リフト３３０を、リフト駆動機構部３３１の図示しないモータを駆動して、紙幣束収納庫２２７〜２２９のうち出金させる金種に応じたものの高さ位置まで移動させる。なお、制御部は、複数金種を一度の処理で出金させる場合には、下段の紙幣束収納庫２２９の紙幣束、中段の紙幣束収納庫２２８の紙幣束、上段の紙幣束収納庫２２７の紙幣束の順に紙幣束搬送リフト３３０に繰り出させるように制御する。
【００９１】
そして、制御部は、紙幣束搬送リフト３３０が、紙幣束収納庫２２７〜２２９のうち当該出金させる金種の紙幣束収納庫の高さ位置に達するとその上昇を一旦停止させる。すると、図７で一点鎖線に示すように、紙幣束繰出駆動部３３２の摺動ブロック３４１の垂直溝３４２と紙幣束収納庫２２７〜２２９のうち当該出金させる金種の紙幣束収納庫から突出する駆動ピン２８４とが係合した状態となるとともに、紙幣束収納庫２２７〜２２９のうち当該出金させる金種の紙幣束収納庫の繰出口２５６と収納空間３６０との高さが合った状態となる。
その後、制御部は、紙幣束繰出駆動部３３２のモータ３４９を駆動し、摺動ブロック３４１を繰出口２５６に対し反対側に移動させると、これに連動して、紙幣束繰出機構２５７のプッシャ２６６，２６７も、図１２に示すように繰出口２５６に対し反対側の収納空間２３６の外まで移動することになる。
ここで、この状態で、検出部４０３は、紙幣束収納庫２２７〜２２９のうち当該出金させる金種の紙幣束収納庫の前側ガイド板２５４に形成された窓部４００および前面部２５５に形成された窓部４０１を通じて、当該紙幣束収納庫内にＬＥＤ４０４で光を照射可能となる。
【００９２】
また、これと同じタイミングで、制御部は、モータ３６５を駆動して図７に示す待機位置にある移動ガイド部材３６９を、図１２に示すように、紙幣束収納庫２２７〜２２９から繰り出される紙幣束の収納をガイドする後退端位置まで後退させる。すると、これに連動して挟持板３７０も一体に移動する。
このプッシャ２６６，２６７と、移動ガイド部材３６９の移動が完了すると、制御部は、図３の一点鎖線に示す「待機位置」ある後板２３８の前方への移動を開始させる。すると、紙幣束は、この後板２３８と前板２４１との間に挟まれながら前方に移動する。そして、制御部は、該前板２４１が前側ガイド板２５４と面一となる位置に達したことを図示しないセンサの検出結果から確認すると後板２３８の移動を停止させる（図１２に示す状態）。
【００９３】
ここで、この状態で、紙幣束収納庫２２７〜２２９のうち当該出金させる金種の紙幣束収納庫内において、最も繰出側に位置する紙幣束が、前側ガイド板２５４に当接する状態となり、その結果、検出部４０３は、紙幣束収納庫２２７〜２２９のうち当該出金させる金種の紙幣束収納庫の前側ガイド板２５４に形成された窓部４００および前面部２５５に形成された窓部４０１を通じて、当該紙幣束収納庫内で前側ガイド板２５４に当接した状態にある紙幣束にＬＥＤ４０４で光を照射し当該紙幣束の表面からの反射光すなわち画像パターンをレンズ４０５で集光しＣＣＤ４０６で検出可能な状態となる。
【００９４】
制御部は、紙幣束収納庫２２７〜２２９のうち当該出金させる金種の紙幣束収納庫に収納された状態にあって最も繰出側に位置する紙幣束について検出部４０３のＣＣＤ４０６が検出した表面の画像パターンに基づいて、当該紙幣束の金種を確認手段において確認し、当該紙幣束の表面の画像パターンから、確認手段が当該紙幣束が繰り出されるべき金種と同じと確認したときに、許可手段において、紙幣束収納庫２２７〜２２９のうち当該出金させる金種の紙幣束収納庫からの当該紙幣束の繰り出しを許可する。他方、当該紙幣束の表面の画像パターンから、確認手段が当該紙幣束が繰り出されるべき金種とは異なると確認したときに、禁止手段において、紙幣束収納庫２２７〜２２９のうち当該出金させる金種の紙幣束収納庫からの当該紙幣束の繰り出しを禁止する。
【００９５】
そして、制御部は、禁止手段において繰り出しを禁止すると、紙幣束収納庫２２７〜２２９のうち当該出金させる金種の紙幣束収納庫からの当該紙幣束の繰り出しを行わず、表示部１２により、当該出金させる金種の紙幣束収納庫に異金種が存在する旨の報知を画面表示および音声出力の少なくともいずれか一方で行わせる。その結果、操作者は、異金種の紙幣束の存在を認識し、紙幣束収納・出金ユニット２５を引き出して、当該異金種の紙幣束を本来の金種の紙幣束収納庫にセットし直す等する。
他方、制御部は、許可手段において繰り出しを許可すると、以下のように、紙幣束収納庫２２７〜２２９のうち当該出金させる金種の紙幣束収納庫からの当該紙幣束の繰り出しを行う。
【００９６】
すなわち、制御部は、紙幣束繰出駆動部３３２のモータ３４９を再び駆動し、摺動ブロック３４１を図１２に示す位置から「待機位置」となる図３に示す位置まで移動させる。すると、プッシャ２６６，２６７が前端の一束の紙幣束Ｓ３のみを紙幣束搬送リフト３３０の収納空間３６０の方向に押し出すことになる。そして、プッシャ２６６，２６７で押し出された紙幣束は、移動ガイド部材３６９にガイドされ、該移動ガイド部材３６９とすでに保持された紙幣束Ｓ３（保持された紙幣束がない場合は挟持板３７０）との間に挿入されることになる。
一方、プッシャ２６６，２６７がこの紙幣束を完全に押し出す「待機位置」に達すると、収納された紙幣束を挟持する前板２４１は、後方に付勢されていることから、この繰り出された紙幣束分、後方側に移動して収納されている紙幣束を挟持する。
【００９７】
この時点で、繰り出しが行われた金種について、それ以上の紙幣束が必要数すべて繰り出された場合、制御部は、移動ガイド部材３６９を再び「待機位置」に戻すとともに、紙幣束収納庫２２７〜２２９のうちすでに繰り出しが行われた当該金種の紙幣束収納庫の後板２３８も「待機位置」に戻す。
一方で、制御部は、紙幣束搬送リフト３３０を、次に繰り出しを行う金種の紙幣束収納庫２２７〜２２９に応じた位置となる紙幣束受渡位置に必要に応じて移動させる。
【００９８】
逆に、紙幣束が必要数すべて繰り出されていなければ、制御部は、再び紙幣束繰出駆動部３３２のモータ３４９を駆動し、摺動ブロック３４１を図１２に示す位置まで移動させるとともに、後板２３８をこの繰り出した一束分前方に移動させることで最も繰出側に位置する紙幣束を前側ガイド板２５４に当接させる。そして、当該紙幣束について検出部４０３による表面の画像パターンの検出および該画像パターンに基づく制御部における繰り出しの許可・禁止の判定を行い、許可された場合のみ、再びプッシャ２６６，２６７を「待機位置」に移動させて次の紙幣束を繰り出させる。
【００９９】
このようにして最終的に、紙幣束搬送リフト３３０が、金種別の紙幣束収納部２２７〜２２９の必要なものの繰出口２５６から繰り出された紙幣束をすべて受け入れると、制御部は、紙幣束を整列状態で保持したまま紙幣束搬送リフト３３０を上段の紙幣束収納庫２２７の高さ位置に位置させ、紙幣束搬送リフト３３０の直上に位置する紙幣束出金口１７のスライドシャッタ１９を開放させる。これにより、移動ガイド部材３６９および挟持板３７０間に挟持された出金紙幣束を、紙幣束出金口１７を通じて紙幣束搬送リフト３３０から直接人手によって取り出させることになる。
【０１００】
そして、紙幣束搬送リフト３３０の移動ガイド部材３６９および挟持板３７０間に挟持された出金紙幣束の取り出しが紙幣束有無検知センサ３９１で確認されると、制御部は、スライドシャッタ１９を閉塞させるとともに、紙幣束搬送リフト３３０を下降させて「待機位置」に位置させる。
【０１０１】
以上に述べた第１の実施の形態の紙幣束収納・出金ユニット２５によれば、検出部４０３が、紙幣束収納庫２２７〜２２９のうち出金させる金種の紙幣束収納庫に収納された状態で該紙幣束収納庫における最も繰出側に位置する紙幣束の表面の画像パターンを検出すると、この画像パターンに基づいて制御部は、その確認手段が紙幣束の金種を確認することになる。
したがって、例え紙幣束収納庫２２７〜２２９に紙幣束の誤装填を生じたとしても、これを検出することができるため、出金時に誤払いが生じてしまうことを防止することができる。
【０１０２】
また、制御部は、確認手段による紙幣束の金種の確認後に、紙幣束収納庫２２７〜２２９のうち出金させる金種の紙幣束収納庫からの当該紙幣束の繰り出しを行うことになるが、確認手段による紙幣束の金種の確認の際、当該紙幣束が繰り出されるべき金種とは異なると確認したときには、その禁止手段により当該紙幣束が収納された紙幣束収納庫からの当該紙幣束の繰り出しを禁止するとともに、表示部１２により報知を行わせることになる。
したがって、紙幣束が繰り出されるべき金種とは異なると確認したときに当該紙幣束の繰り出しを禁止させることになり、その上、紙幣束が繰り出されるべき金種とは異なる旨を報知させることになるため、誤払いを確実に防止することができる。
【０１０３】
加えて、金種別の紙幣束収納庫２２７〜２２９に対し一つで共用された紙幣束搬送リフト３３０が紙幣束を受け入れるため移動すると該紙幣束搬送リフト３３０に設けられた検出部４０３も移動することになり、移動した後、紙幣束搬送リフト３３０で受け入れる紙幣束の表面の画像パターンを検出すれば、検出部４０３も一つで金種別の紙幣束収納庫２２７〜２２９に対する検出が可能となる。
したがって、金種別の紙幣束収納庫２２７〜２２９に対し検出部４０３も共用にでき、よって、コストを大幅に低減することができる。
【０１０４】
なお、以上においては、金種別の紙幣束収納庫２２７〜２２９から側方に紙幣束を繰り出す場合を例にとり説明したが、図１３に示すように、金種別の紙幣束収納庫２２７〜２２９から前方に紙幣束を繰り出す場合（例えば実開昭６２−５６５３９号公報の装置）においても、検出部で繰り出し前に紙幣束の表面の画像パターンを検出することができる。
【０１０５】
次に、本発明の第２の実施の形態の紙幣束処理装置を図１４および図１５を主に参照して第１の実施の形態との相違部分を中心に以下に説明する。なお、第１の実施の形態と同様の部分には同一の符号を付しその説明は略す。
第２の実施の形態においては、検出部４０３が紙幣束搬送リフト３３０の収納空間３６０側の後部に設けられている点と、該検出部４０３が紙幣束収納庫２２７〜２２９から繰り出された直後（すなわち次の紙幣束が繰り出される前）の紙幣束の表面の画像パターンを検出可能とされている点とが、主に異なっている。
【０１０６】
すなわち、第２の実施の形態の検出部４０３は、紙幣束搬送リフト３３０の左右方向における収納空間３６０側の後部に設けられており、これに伴って、紙幣束搬送リフト３３０の支持フレーム３３４には前後方向に貫通する窓部４０７が形成され、移動ガイド部材３６９にも前後方向に貫通する窓部４０８が形成されている。そして、検出部４０３は、紙幣束搬送リフト３３０の収納空間３６０に移動ガイド板３６９と挟持板３７０とで挟持された状態で保持された紙幣束のうち、移動ガイド板３６９に当接状態にある（すなわち紙幣束収納庫２２７〜２２９から繰り出された直後の）紙幣束に、支持フレーム３３４に形成された窓部４０７および移動ガイド板３６９に形成された窓部４０８を通じて光を照射する上記と同様のＬＥＤ４０４と、該ＬＥＤ４０４で照射された光の当該紙幣束の表面からの反射光を集光する上記と同様のレンズ４０５と、該レンズ４０５で集光された光の向きを変える反射鏡４０９と、該反射鏡４０９で向きが変えられた光すなわち画像パターンを検出して制御部に送信する上記と同様のＣＣＤ４０６とを有している。なお、当然のことながら、金種別の紙幣束収納庫２２７〜２２９には検出用の窓部は設けられていない。
【０１０７】
そして、制御部は、紙幣束収納庫２２７〜２２９のうちのいずれか一の紙幣束収納庫から繰り出されて移動ガイド板３６９に当接状態にある繰り出し直後の紙幣束（以下繰出紙幣束と称す）について検出部４０３により検出された表面の画像パターンに基づいて、当該繰出紙幣束の金種を確認する確認手段と、当該繰出紙幣束の表面の画像パターンから、確認手段が当該繰出紙幣束が繰り出されるべき（言い換えれば、紙幣束収納庫２２７〜２２９のうち直前に紙幣束の繰り出しを行った紙幣束収納庫に収納されているべき）金種と同じと確認したときに、許可判断を行う許可手段と、当該繰出紙幣束の表面の画像パターンから、確認手段が当該繰出紙幣束が繰り出されるべき金種とは異なる（言い換えれば、紙幣束収納庫２２７〜２２９のうち直前に紙幣束の繰り出しを行った紙幣束収納庫に収納されているべきではない）と確認したときに、禁止判断を行う禁止手段とを有している。
【０１０８】
ここで、許可手段が許可判断を行った場合には、今回出金処理に関し、当該繰出紙幣束が前記一の紙幣束収納庫からの最後のものでない場合は前記一の紙幣束収納庫からの当該繰出紙幣束の後の紙幣束の繰り出しを許可するとともに、当該繰出紙幣束が前記一の紙幣束収納庫からの最後のものであって他の紙幣束収納庫からの紙幣束の繰り出しを行う場合は該他の紙幣束収納庫まで紙幣束搬送リフト３３０を移動させての該他の紙幣束収納庫からの紙幣束の繰り出しを許可し、さらに、当該繰出紙幣束が出金のための最後のものであった場合には、紙幣束搬送リフト３３０による当該繰出紙幣束を含む紙幣束の出金を許可することになる。
【０１０９】
また、禁止手段が禁止判断を行った場合には、今回出金処理に関し、当該繰出紙幣束が前記一の紙幣束収納庫からの最後のものでない場合であっても前記一の紙幣束収納庫からの当該繰出紙幣束の後の紙幣束の繰り出しを禁止するとともに、当該繰出紙幣束が前記一の紙幣束収納庫からの最後のものであって他の紙幣束収納庫からの紙幣束の繰り出しを行う場合であっても該他の紙幣束収納庫まで紙幣束搬送リフト３３０を移動させての該他の紙幣束収納庫からの紙幣束の繰り出しを禁止し、さらに、当該繰出紙幣束が出金のための最後のものであった場合であっても、紙幣束搬送リフト３３０による当該繰出紙幣束を含む紙幣束の外部への出金を禁止することになる。
【０１１０】
また、制御部は、確認手段が、当該繰出紙幣束の表面の画像パターンを上記のように確認した後に、許可手段で許可判断がなされると、今回出金処理に関し、当該繰出紙幣束が前記一の紙幣束収納庫からの最後のものでない場合は前記一の紙幣束収納庫からの当該繰出紙幣束の後の紙幣束の繰り出しを行うとともに、当該繰出紙幣束が前記一の紙幣束収納庫からの最後のものであって他の紙幣束収納庫からの紙幣束の繰り出しを行う場合は該他の紙幣束収納庫まで紙幣束搬送リフト３３０を移動させて該他の紙幣束収納庫からの紙幣束の繰り出しを行い、さらに、当該繰出紙幣束が出金のための最後のものであった場合には、紙幣束搬送リフト３３０による当該繰出紙幣束を含む紙幣束の出金を行わせる。
【０１１１】
他方、制御部は、確認手段が、当該繰出紙幣束の表面の画像パターンを上記のように確認した後に、禁止手段で禁止判断がなされると、今回出金処理に関し、当該繰出紙幣束が前記一の紙幣束収納庫からの最後のものでない場合でも前記一の紙幣束収納庫からの当該繰出紙幣束の後の紙幣束の繰り出しを禁止するとともに、当該繰出紙幣束が前記一の紙幣束収納庫からの最後のものであって他の紙幣束収納庫からの紙幣束の繰り出しを行う場合でも該他の紙幣束収納庫まで紙幣束搬送リフト３３０を移動させての該他の紙幣束収納庫からの紙幣束の繰り出しを禁止し、さらに、当該繰出紙幣束が出金のための最後のものであった場合でも紙幣束搬送リフト３３０による当該繰出紙幣束を含む紙幣束の出金を禁止し、しかも紙幣束搬送リフト３３０を下部の待機位置に強制的に移動させる。そして、これらに合わせて、表示部１２により当該紙幣束収納庫に異金種の紙幣束が装填されていた旨および紙幣束搬送リフト３３０に異金種の紙幣束が繰り出された旨の報知を画面表示および音声出力の少なくともいずれか一方で行わせる。
【０１１２】
具体的に、制御部は、紙幣束収納庫２２７から紙幣束を繰り出させた直後に、紙幣束搬送リフト３３０の移動ガイド板３６９に当接状態にある当該繰出紙幣束の、検出部４０３により検出された表面の画像パターンを基準パターンと比較することにより当該繰出紙幣束の金種を確認手段で確認する。そして、確認手段が当該繰出紙幣束が繰り出されるべきＡ金種と同じと確認したときに、許可手段が、今回出金処理に関し、当該繰出紙幣束が紙幣束収納庫２２７からの最後のものでない場合は紙幣束収納庫２２７からの当該繰出紙幣束の後の紙幣束の繰り出しを許可するとともに、当該繰出紙幣束が出金のための最後のものであった場合には、紙幣束搬送リフト３３０による当該繰出紙幣束を含む紙幣束の出金を許可することになる。
【０１１３】
他方、当該繰出紙幣束の表面の画像パターンから、確認手段が当該繰出紙幣束が繰り出されるべきＡ金種とは異なると確認したときに、禁止手段が、今回出金処理に関し、当該繰出紙幣束が紙幣束収納庫２２７からの最後のものでない場合であっても紙幣束収納庫２２７からの当該繰出紙幣束の後の紙幣束の繰り出しを禁止するとともに、当該繰出紙幣束が出金のための最後のものであった場合であっても、紙幣束搬送リフト３３０による当該繰出紙幣束を含む紙幣束の外部への出金を禁止する。そして、これらに合わせて、表示部１２によりその旨の報知を画面表示および音声出力で行わせる。
【０１１４】
同様に、制御部は、紙幣束収納庫２２８から紙幣束を繰り出させた直後に、紙幣束搬送リフト３３０の移動ガイド板３６９に当接状態にある当該繰出紙幣束の、検出部４０３により検出された表面の画像パターンを基準パターンと比較することにより当該繰出紙幣束の金種を確認手段で確認する。そして、確認手段が当該繰出紙幣束が繰り出されるべきＢ金種と同じと確認したときに、許可手段が、今回出金処理に関し、当該繰出紙幣束が紙幣束収納庫２２８からの最後のものでない場合は紙幣束収納庫２２８からの当該繰出紙幣束の後の紙幣束の繰り出しを許可するとともに、当該繰出紙幣束が紙幣束収納庫２２８からの最後のものであって他の紙幣束収納庫２２７からの紙幣束の繰り出しを行う場合は該他の紙幣束収納庫２２７まで紙幣束搬送リフト３３０を移動させての該他の紙幣束収納庫２２７からの紙幣束の繰り出しを許可し、さらに、当該繰出紙幣束が出金のための最後のものであった場合には、紙幣束搬送リフト３３０による当該繰出紙幣束を含む紙幣束の出金を許可することになる。
【０１１５】
他方、当該繰出紙幣束の表面の画像パターンから、確認手段が当該繰出紙幣束が繰り出されるべきＢ金種とは異なると確認したときに、禁止手段が、今回出金処理に関し、当該繰出紙幣束が紙幣束収納庫２２８からの最後のものでない場合であっても紙幣束収納庫２２８からの当該繰出紙幣束の後の紙幣束の繰り出しを禁止するとともに、当該繰出紙幣束が紙幣束収納庫２２８からの最後のものであって他の紙幣束収納庫２２７からの紙幣束の繰り出しを行う場合であっても該他の紙幣束収納庫２２７まで紙幣束搬送リフト３３０を移動させての該他の紙幣束収納庫２２７からの紙幣束の繰り出しを禁止し、さらに、当該繰出紙幣束が出金のための最後のものであった場合であっても、紙幣束搬送リフト３３０による当該繰出紙幣束を含む紙幣束の外部への出金を禁止する。そして、これらに合わせて、表示部１２によりその旨の報知を画面表示および音声出力で行わせる。
【０１１６】
同様に、制御部は、紙幣束収納庫２２９から紙幣束を繰り出させた直後に、紙幣束搬送リフト３３０の移動ガイド板３６９に当接状態にある当該繰出紙幣束の、検出部４０３により検出された表面の画像パターンを基準パターンと比較することにより当該繰出紙幣束の金種を確認手段で確認する。そして、確認手段が当該繰出紙幣束が繰り出されるべきＣ金種と同じと確認したときに、許可手段が、今回出金処理に関し、当該繰出紙幣束が紙幣束収納庫２２９からの最後のものでない場合は紙幣束収納庫２２９からの当該繰出紙幣束の後の紙幣束の繰り出しを許可するとともに、当該繰出紙幣束が紙幣束収納庫２２９からの最後のものであって他の紙幣束収納庫２２７，２２８のいずれかからの紙幣束の繰り出しを行う場合は該他の紙幣束収納庫２２７，２２８のいずれかまで紙幣束搬送リフト３３０を移動させての該他の紙幣束収納庫２２７，２２８のいずれかからの紙幣束の繰り出しを許可し、さらに、当該繰出紙幣束が出金のための最後のものであった場合には、紙幣束搬送リフト３３０による当該繰出紙幣束を含む紙幣束の出金を許可することになる。
【０１１７】
他方、当該繰出紙幣束の表面の画像パターンから、確認手段が当該繰出紙幣束が繰り出されるべきＣ金種とは異なると確認したときに、禁止手段が、今回出金処理に関し、当該繰出紙幣束が紙幣束収納庫２２９からの最後のものでない場合であっても紙幣束収納庫２２９からの当該繰出紙幣束の後の紙幣束の繰り出しを禁止するとともに、当該繰出紙幣束が紙幣束収納庫２２９からの最後のものであって他の紙幣束収納庫２２７，２２８のいずれかからの紙幣束の繰り出しを行う場合であっても該他の紙幣束収納庫２２７，２２８のいずれかまで紙幣束搬送リフト３３０を移動させての該他の紙幣束収納庫２２７，２２８のいずれかからの紙幣束の繰り出しを禁止し、さらに、当該繰出紙幣束が出金のための最後のものであった場合であっても、紙幣束搬送リフト３３０による当該繰出紙幣束を含む紙幣束の外部への出金を禁止する。そして、これらに合わせて、表示部１２によりその旨の報知を画面表示および音声出力で行わせる。
【０１１８】
以上に述べた第２の実施の形態の紙幣束収納・出金ユニット２５によれば、検出部４０３が、紙幣束収納庫２２７〜２２９のいずれか一つから繰り出された直後の繰出紙幣束の表面の画像パターンを検出すると、この画像パターンに基づいて制御部は、その確認手段が繰出紙幣束の金種を確認することになる。
したがって、例え紙幣束収納庫２２７〜２２９に紙幣束の誤装填を生じたとしても、これを検出することができるため、出金時に誤払いが生じてしまうことを防止することができる。
【０１１９】
また、検出部４０３が、紙幣束収納庫２２７〜２２９のいずれか一つから繰り出された直後の繰出紙幣束の表面の画像パターンを検出すると、この画像パターンに基づいて制御部は、その確認手段が当該繰出紙幣束の金種を確認することになり、その際、当該繰出紙幣束が繰り出されるべき金種とは異なると確認したときには、制御部は、その禁止手段により当該繰出紙幣束が収納されていた紙幣束収納庫２２７〜２２９のいずれか一つからの当該繰出紙幣束の後の紙幣束の繰り出しを禁止するとともに、紙幣束搬送リフト３３０による当該繰出紙幣束の出金を禁止し、さらに表示部１２により報知を行わせることになる。
したがって、繰出紙幣束が繰り出されるべき金種とは異なると確認したときに当該繰出紙幣束より後の紙幣束の繰り出しを禁止させることになり、異金種の紙幣束が続けて繰り出されてしまうことを防止できる。その上、紙幣束搬送リフト３３０による当該繰出紙幣束の出金を禁止し、当該繰出紙幣束が繰り出されるべき金種とは異なる旨を報知させることになるため、誤払いを確実に防止することができる。
【０１２０】
加えて、金種別の紙幣束収納庫２２７〜２２９に対し一つで共用された紙幣束搬送リフト３３０が紙幣束を受け入れるため移動すると該紙幣束搬送リフト３３０に設けられた検出部４０３も移動することになり、移動した後、紙幣束搬送リフト３３０で受け入れる紙幣束の表面の画像パターンを検出すれば、検出部４０３も一つで金種別の紙幣束収納庫２２７〜２２９に対する検出が可能となる。
したがって、金種別の紙幣束収納庫２２７〜２２９に対し検出部４０３も共用にでき、よって、コストを大幅に低減することができる。
【０１２１】
なお、以上の第２の実施の形態においては、制御部の確認手段が、紙幣束収納庫２２７〜２２９のうちのいずれか一の紙幣束収納庫から繰り出された直後の紙幣束について検出部４０３により検出された表面の画像パターンに基づいて、当該紙幣束の金種を確認するようにしたが、紙幣束収納庫２２７〜２２９のうちのいずれか一の紙幣束収納庫から繰り出し途中の紙幣束に対して所定のタイミングで検出部４０３により検出された表面の画像パターンに基づいて、当該紙幣束の金種を確認するようにしてもよい。
【０１２２】
次に、本発明の第３の実施の形態の紙幣束処理装置を図１６を参照して第２の実施の形態との相違部分を中心に以下に説明する。なお、第２の実施の形態と同様の部分には同一の符号を付しその説明は略す。
第３の実施の形態においては、鉛直方向に配置された金種別の紙幣束収納庫２２７〜２２９から紙幣束を前方に繰り出させ、しかも、これをその長手方向を前後方向に沿わせ厚さ方向を上下方向に沿わせた水平姿勢で、鉛直方向に移動する紙幣束搬送リフト３３０に収納させる点と、検出部４０３が紙幣束搬送リフト３３０の鉛直上方に配置されている点とが、主に異なっている。
【０１２３】
すなわち、第３の実施の形態においては、紙幣束搬送リフト３３０には、移動ガイド板および挟持板等は設けられておらず、収納空間３６０に紙幣束を水平状態で上方に積み上げていく。
また、紙幣束搬送リフト３３０の鉛直上方に配置された紙幣束出金口１７（図１６では図示略）に、これを開閉させるスライドシャッタ１９が設けられており、このスライドシャッタ１９の下面に検出部４０３が固定されている。すなわち、この検出部４０３は、スライドシャッタ１９が紙幣束出金口１７を閉塞させた状態（図１６に実線で示すスライドシャッタ１９の状態）において、紙幣束搬送リフト３３０の鉛直上方に位置して紙幣束の表面の画像パターンを検出することになり、スライドシャッタ１９が紙幣束出金口１７を開放させた状態（図１６に一点鎖線で示すスライドシャッタ１９の状態）では、スライドシャッタ１９とともに紙幣束出金口１７から退避する。
【０１２４】
この検出部４０３は、スライドシャッタ１９が紙幣束出金口１７を閉塞させた状態において、紙幣束搬送リフト３３０に投入された紙幣束のうち最上部に位置する（すなわち紙幣束収納庫２２７〜２２９から繰り出された直後の）紙幣束に光を照射する上記と同様のＬＥＤ４０４と、同状態で該ＬＥＤ４０４で照射された光の当該紙幣束の表面からの反射光を集光する上記と同様のレンズ４０５と、同状態で該レンズ４０５で集光された光の向きを変える上記と同様の反射鏡４０９と、同状態で該反射鏡４０９で向きが変えられた光すなわち画像パターンを検出して制御部に送信する上記と同様のＣＣＤ４０６とを有している。
【０１２５】
そして、制御部は、紙幣束収納庫２２７〜２２９のうちのいずれか一の紙幣束収納庫から繰り出されて紙幣束搬送リフト３３０の最上部にある繰り出し直後の紙幣束（以下繰出紙幣束と称す）について検出部４０３により検出された表面の画像パターンに基づいて、当該繰出紙幣束の金種を確認する確認手段と、当該繰出紙幣束の表面の画像パターンから、確認手段が当該繰出紙幣束が繰り出されるべき（言い換えれば、紙幣束収納庫２２７〜２２９のうち直前に紙幣束の繰り出しを行った紙幣束収納庫に収納されているべき）金種と同じと確認したときに、許可判断を行う許可手段と、当該繰出紙幣束の表面の画像パターンから、確認手段が当該繰出紙幣束が繰り出されるべき金種とは異なる（言い換えれば、紙幣束収納庫２２７〜２２９のうち直前に紙幣束の繰り出しを行った紙幣束収納庫に収納されているべきではない）と確認したときに、禁止判断を行う禁止手段とを有している。
【０１２６】
ここで、許可手段が許可判断を行った場合には、今回出金処理に関し、当該繰出紙幣束が前記一の紙幣束収納庫からの最後のものでない場合は前記一の紙幣束収納庫からの当該繰出紙幣束の後の紙幣束の繰り出しを許可するとともに、当該繰出紙幣束が前記一の紙幣束収納庫からの最後のものであって他の紙幣束収納庫からの紙幣束の繰り出しを行う場合は該他の紙幣束収納庫まで紙幣束搬送リフト３３０を移動させての該他の紙幣束収納庫からの紙幣束の繰り出しを許可し、さらに、当該繰出紙幣束が出金のための最後のものであった場合には、紙幣束搬送リフト３３０による当該繰出紙幣束を含む紙幣束の出金を許可することになる。
【０１２７】
他方、禁止手段が禁止判断を行った場合には、今回出金処理に関し、当該繰出紙幣束が前記一の紙幣束収納庫からの最後のものでない場合であっても前記一の紙幣束収納庫からの当該繰出紙幣束の後の紙幣束の繰り出しを禁止するとともに、当該繰出紙幣束が前記一の紙幣束収納庫からの最後のものであって他の紙幣束収納庫からの紙幣束の繰り出しを行う場合であっても該他の紙幣束収納庫まで紙幣束搬送リフト３３０を移動させての該他の紙幣束収納庫からの紙幣束の繰り出しを禁止し、さらに、当該繰出紙幣束が出金のための最後のものであった場合であっても、紙幣束搬送リフト３３０による当該繰出紙幣束を含む紙幣束の外部への出金を禁止することになる。
【０１２８】
また、制御部は、確認手段が、当該繰出紙幣束の表面の画像パターンを上記のように確認した後に、許可手段で許可判断がなされると、今回出金処理に関し、当該繰出紙幣束が前記一の紙幣束収納庫からの最後のものでない場合は前記一の紙幣束収納庫からの当該繰出紙幣束の後の紙幣束の繰り出しを行うとともに、当該繰出紙幣束が前記一の紙幣束収納庫からの最後のものであって他の紙幣束収納庫からの紙幣束の繰り出しを行う場合は該他の紙幣束収納庫まで紙幣束搬送リフト３３０を移動させて該他の紙幣束収納庫からの紙幣束の繰り出しを行い、さらに、当該繰出紙幣束が出金のための最後のものであった場合には、紙幣束搬送リフト３３０による当該繰出紙幣束を含む紙幣束の出金を行わせる。
【０１２９】
他方、制御部は、確認手段が、当該繰出紙幣束の表面の画像パターンを上記のように確認した後に、禁止手段で禁止判断がなされると、今回出金処理に関し、当該繰出紙幣束が前記一の紙幣束収納庫からの最後のものでない場合でも前記一の紙幣束収納庫からの当該繰出紙幣束の後の紙幣束の繰り出しを禁止するとともに、当該繰出紙幣束が前記一の紙幣束収納庫からの最後のものであって他の紙幣束収納庫からの紙幣束の繰り出しを行う場合でも該他の紙幣束収納庫まで紙幣束搬送リフト３３０を移動させての該他の紙幣束収納庫からの紙幣束の繰り出しを禁止し、さらに、当該繰出紙幣束が出金のための最後のものであった場合でも紙幣束搬送リフト３３０による当該繰出紙幣束を含む紙幣束の出金を禁止し、しかも紙幣束搬送リフト３３０を下部の待機位置に強制的に移動させる。そして、これらに合わせて、表示部１２により当該紙幣束収納庫に異金種の紙幣束が装填されていた旨および紙幣束搬送リフト３３０に異金種の紙幣束が繰り出された旨の報知を画面表示および音声出力の少なくともいずれか一方で行わせる。
【０１３０】
具体的に、制御部は、紙幣束収納庫２２７から紙幣束を繰り出させた直後に、紙幣束搬送リフト３３０の最上部にある当該繰出紙幣束の、検出部４０３により検出された表面の画像パターンを基準パターンと比較することにより当該繰出紙幣束の金種を確認手段で確認する。そして、確認手段が当該繰出紙幣束が繰り出されるべきＡ金種と同じと確認したときに、許可手段が、今回出金処理に関し、当該繰出紙幣束が紙幣束収納庫２２７からの最後のものでない場合は紙幣束収納庫２２７からの当該繰出紙幣束の後の紙幣束の繰り出しを許可するとともに、当該繰出紙幣束が出金のための最後のものであった場合には、紙幣束搬送リフト３３０による当該繰出紙幣束を含む紙幣束の出金を許可することになる。
【０１３１】
他方、当該繰出紙幣束の表面の画像パターンから、確認手段が当該繰出紙幣束が繰り出されるべきＡ金種とは異なると確認したときに、禁止手段が、今回出金処理に関し、当該繰出紙幣束が紙幣束収納庫２２７からの最後のものでない場合であっても紙幣束収納庫２２７からの当該繰出紙幣束の後の紙幣束の繰り出しを禁止するとともに、当該繰出紙幣束が出金のための最後のものであった場合であっても、紙幣束搬送リフト３３０による当該繰出紙幣束を含む紙幣束の外部への出金を禁止する。そして、これらに合わせて、表示部１２によりその旨の報知を画面表示および音声出力で行わせる。
【０１３２】
同様に、制御部は、紙幣束収納庫２２８から紙幣束を繰り出させた直後に、紙幣束搬送リフト３３０の最上部にある当該繰出紙幣束の、検出部４０３により検出された表面の画像パターンを基準パターンと比較することにより当該繰出紙幣束の金種を確認手段で確認する。そして、確認手段が当該繰出紙幣束が繰り出されるべきＢ金種と同じと確認したときに、許可手段が、今回出金処理に関し、当該繰出紙幣束が紙幣束収納庫２２８からの最後のものでない場合は紙幣束収納庫２２８からの当該繰出紙幣束の後の紙幣束の繰り出しを許可するとともに、当該繰出紙幣束が紙幣束収納庫２２８からの最後のものであって他の紙幣束収納庫２２７からの紙幣束の繰り出しを行う場合は該他の紙幣束収納庫２２７まで紙幣束搬送リフト３３０を移動させての該他の紙幣束収納庫２２７からの紙幣束の繰り出しを許可し、さらに、当該繰出紙幣束が出金のための最後のものであった場合には、紙幣束搬送リフト３３０による当該繰出紙幣束を含む紙幣束の出金を許可することになる。
【０１３３】
他方、当該繰出紙幣束の表面の画像パターンから、確認手段が当該繰出紙幣束が繰り出されるべきＢ金種とは異なると確認したときに、禁止手段が、今回出金処理に関し、当該繰出紙幣束が紙幣束収納庫２２８からの最後のものでない場合であっても紙幣束収納庫２２８からの当該繰出紙幣束の後の紙幣束の繰り出しを禁止するとともに、当該繰出紙幣束が紙幣束収納庫２２８からの最後のものであって他の紙幣束収納庫２２７からの紙幣束の繰り出しを行う場合であっても該他の紙幣束収納庫２２７まで紙幣束搬送リフト３３０を移動させての該他の紙幣束収納庫２２７からの紙幣束の繰り出しを禁止し、さらに、当該繰出紙幣束が出金のための最後のものであった場合であっても、紙幣束搬送リフト３３０による当該繰出紙幣束を含む紙幣束の外部への出金を禁止する。そして、これらに合わせて、表示部１２によりその旨の報知を画面表示および音声出力で行わせる。
【０１３４】
同様に、制御部は、紙幣束収納庫２２９から紙幣束を繰り出させた直後に、紙幣束搬送リフト３３０の最上部にある当該繰出紙幣束の、検出部４０３により検出された表面の画像パターンを基準パターンと比較することにより当該繰出紙幣束の金種を確認手段で確認する。そして、確認手段が当該繰出紙幣束が繰り出されるべきＣ金種と同じと確認したときに、許可手段が、今回出金処理に関し、当該繰出紙幣束が紙幣束収納庫２２９からの最後のものでない場合は紙幣束収納庫２２９からの当該繰出紙幣束の後の紙幣束の繰り出しを許可するとともに、当該繰出紙幣束が紙幣束収納庫２２９からの最後のものであって他の紙幣束収納庫２２７，２２８のいずれかからの紙幣束の繰り出しを行う場合は該他の紙幣束収納庫２２７，２２８のいずれかまで紙幣束搬送リフト３３０を移動させての該他の紙幣束収納庫２２７，２２８のいずれかからの紙幣束の繰り出しを許可し、さらに、当該繰出紙幣束が出金のための最後のものであった場合には、紙幣束搬送リフト３３０による当該繰出紙幣束を含む紙幣束の出金を許可することになる。
【０１３５】
他方、当該繰出紙幣束の表面の画像パターンから、確認手段が当該繰出紙幣束が繰り出されるべきＣ金種とは異なると確認したときに、禁止手段が、今回出金処理に関し、当該繰出紙幣束が紙幣束収納庫２２９からの最後のものでない場合であっても紙幣束収納庫２２９からの当該繰出紙幣束の後の紙幣束の繰り出しを禁止するとともに、当該繰出紙幣束が紙幣束収納庫２２９からの最後のものであって他の紙幣束収納庫２２７，２２８のいずれかからの紙幣束の繰り出しを行う場合であっても該他の紙幣束収納庫２２７，２２８のいずれかまで紙幣束搬送リフト３３０を移動させての該他の紙幣束収納庫２２７，２２８のいずれかからの紙幣束の繰り出しを禁止し、さらに、当該繰出紙幣束が出金のための最後のものであった場合であっても、紙幣束搬送リフト３３０による当該繰出紙幣束を含む紙幣束の外部への出金を禁止する。そして、これらに合わせて、表示部１２によりその旨の報知を画面表示および音声出力で行わせる。
【０１３６】
以上に述べた第３の実施の形態の紙幣束収納・出金ユニット２５によれば、検出部４０３が、紙幣束収納庫２２７〜２２９のいずれか一つから繰り出された直後の紙幣束の表面の画像パターンを検出すると、この画像パターンに基づいて制御部は、その確認手段が紙幣束の金種を確認することになる。
したがって、例え紙幣束収納庫２２７〜２２９に紙幣束の誤装填を生じたとしても、これを検出することができるため、出金時に誤払いが生じてしまうことを防止することができる。
【０１３７】
また、検出部４０３が、紙幣束収納庫２２７〜２２９のいずれか一つから繰り出された直後の繰出紙幣束の表面の画像パターンを検出すると、この画像パターンに基づいて制御部は、その確認手段が当該繰出紙幣束の金種を確認することになり、その際、当該繰出紙幣束が繰り出されるべき金種とは異なると確認したときには、制御部は、その禁止手段により当該繰出紙幣束が収納されていた紙幣束収納庫２２７〜２２９のいずれか一つからの当該繰出紙幣束の後の紙幣束の繰り出しを禁止するとともに、紙幣束搬送リフト３３０による当該繰出紙幣束の出金を禁止し、表示部１２により報知を行わせることになる。
したがって、繰出紙幣束が繰り出されるべき金種とは異なると確認したときに当該繰出紙幣束より後の紙幣束の繰り出しを禁止させることになり、異金種の紙幣束が続けて繰り出されてしまうことを防止できる。その上、紙幣束搬送リフト３３０による当該繰出紙幣束の出金を禁止し、紙幣束が繰り出されるべき金種とは異なる旨を報知させることになるため、誤払いを確実に防止することができる。
【０１３８】
さらに、鉛直方向に配置された金種別の紙幣束収納庫２２７〜２２９に対し共用された紙幣束搬送リフト３３０が紙幣束を受け入れるため鉛直方向に移動しても、該紙幣束搬送リフト３３０の鉛直上方に配置された検出部４０３は、紙幣束搬送リフト３３０に対し角度が一定しており、紙幣束搬送リフト３３０で受け入れる紙幣束の表面の画像パターンを一つの検出部４０３で検出可能となる。
したがって、金種別の紙幣束収納庫２２７〜２２９に対し検出部４０３も共用にでき、よって、コストを大幅に低減することができる。
【０１３９】
加えて、紙幣束搬送リフト３３０の鉛直上方の紙幣束出金口１７には、これを開閉させるスライドシャッタ１９が設けられており、検出部４０３は、スライドシャッタ１９の下面に設けられているため、スライドシャッタ１９が紙幣束出金口１７を閉塞させた状態では、検出部４０３は、紙幣束搬送リフト３３０の鉛直上方にあって紙幣束の表面パターンの検出が可能となり、他方、出金のため、スライドシャッタ１９が紙幣束出金口１７を開放させた状態では、検出部４０３は、スライドシャッタ１９とともに紙幣束搬送リフト３３０の鉛直上方から逃げてその出金を妨げることがない。
したがって、紙幣束の出金時に検出部４０３を逃がすためだけの機構が不要となり、コストをさらに低減することができる。
【０１４０】
【発明の効果】
以上詳述したように、本発明の請求項１記載の紙幣束処理装置によれば、検出手段が、収納部に収納された紙幣束または収納部から繰り出し中の紙幣束または収納部から繰り出された後の紙幣束の表面の画像パターンを検出すると、この画像パターンに基づいて制御部は、その確認手段が紙幣束の金種を確認することになる。
したがって、例え収納部に紙幣束の誤装填を生じたとしても、これを検出することができるため、出金時に誤払いが生じてしまうことを防止することができる。
また、検出手段が、収納部に収納された状態で該収納部における最も繰出側に位置する紙幣束の表面の画像パターンを検出すると、この画像パターンに基づいて制御部は、その確認手段で当該紙幣束の金種を確認することになり、この確認後に、制御部は収納部からの当該紙幣束の繰り出しを行うことになる。
したがって、紙幣束が繰り出されるべき金種とは異なると確認したときに、当該紙幣束の繰り出しを禁止させたり、報知を行ったりすることが可能となる。
【０１４２】
本発明の請求項２記載の紙幣束処理装置によれば、検出手段が、収納部に収納された状態で該収納部における最も繰出側に位置する紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、その禁止手段により収納部からの当該紙幣束の繰り出しを禁止することになる。
したがって、紙幣束が繰り出されるべき金種とは異なると確認したときに当該紙幣束の繰り出しを禁止させることになり、誤払いを確実に防止することができる。
【０１４３】
本発明の請求項３記載の紙幣束処理装置によれば、検出手段が、収納部に収納された状態で該収納部における最も繰出側に位置する紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、報知手段により報知を行わせることになる。
したがって、紙幣束が繰り出されるべき金種とは異なると確認したときにその旨を報知させることになり、誤払いを確実に防止することができる。
【０１４４】
本発明の請求項４記載の紙幣束処理装置によれば、検出手段が、収納部に収納された紙幣束または収納部から繰り出し中の紙幣束または収納部から繰り出された後の紙幣束の表面の画像パターンを検出すると、この画像パターンに基づいて制御部は、その確認手段が紙幣束の金種を確認することになる。
したがって、例え収納部に紙幣束の誤装填を生じたとしても、これを検出することができるため、出金時に誤払いが生じてしまうことを防止することができる。
また、検出手段が、収納部から繰り出し中の紙幣束または収納部から繰り出された直後の紙幣束の表面の画像パターンを検出すると、この画像パターンに基づいて制御部は、その確認手段で当該紙幣束の金種を確認することになる。
したがって、紙幣束が繰り出されるべき金種とは異なると確認したときに、当該紙幣束の出金口への搬送を禁止させたり、報知を行ったりすることが可能となる。
【０１４５】
本発明の請求項５記載の紙幣束処理装置によれば、検出手段が、収納部から繰り出し中の紙幣束または収納部から繰り出された直後の紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、その禁止手段により収納部からの当該紙幣束の後の紙幣束の繰り出しを禁止することになる。
したがって、紙幣束が繰り出されるべき金種とは異なると確認したときに当該紙幣束より後の紙幣束の繰り出しを禁止させることになり、異金種の紙幣束が続けて繰り出されてしまうことを防止できる。
【０１４６】
本発明の請求項６記載の紙幣束処理装置によれば、検出手段が、収納部から繰り出し中の紙幣束または収納部から繰り出された直後の紙幣束の表面の画像パターンを検出すると、この画像パターンに基づいて制御部は、その確認手段が当該紙幣束の金種を確認することになり、その際、当該紙幣束が繰り出されるべき金種とは異なると確認したときには、制御部は、報知手段により報知を行わせることになる。
したがって、紙幣束が繰り出されるべき金種とは異なると確認したときにその旨を報知させることになり、誤払いを確実に防止することができる。
【０１４７】
本発明の請求項７記載の紙幣束処理装置によれば、金種別の収納部に対し共用された移動体が紙幣束を受け入れるため移動すると該移動体とともに該検出手段も移動することになり、移動した後、移動体で受け入れる紙幣束の表面の画像パターンを検出すれば、検出手段も一つで金種別の収納部の紙幣束の検出が可能となる。
したがって、金種別の収納部に対し検出手段も共用にでき、よって、コストを大幅に低減することができる。
【０１４８】
本発明の請求項８記載の紙幣束処理装置によれば、鉛直方向に配置された金種別の収納部に対し共用された移動体が紙幣束を受け入れるため鉛直方向に移動しても、該移動体の鉛直上方に配置された検出手段は、移動体に対し角度が一定しており、移動体で受け入れる紙幣束の表面の画像パターンを一つの検出手段で検出可能となる。
したがって、金種別の収納部に対し検出手段も共用にでき、よって、コストを大幅に低減することができる。
【０１４９】
本発明の請求項９記載の紙幣束処理装置によれば、移動体の鉛直上方の出金口には、これを開閉させる出金口シャッタが設けられており、検出手段は、出金口シャッタの下面に設けられているため、出金口シャッタが出金口を閉塞させた状態では、検出手段は、移動体の鉛直上方にあって紙幣束の表面パターンの検出が可能となり、他方、出金のため、出金口シャッタが出金口を開放させた状態では、検出手段は、出金口シャッタとともに移動体の鉛直上方から逃げてその出金を妨げることがない。
したがって、紙幣束の出金時に検出手段を逃がすためだけの機構が不要となり、コストをさらに低減することができる。
【図面の簡単な説明】
【図１】本発明の第１の実施の形態を含む紙幣処理機の斜視図。
【図２】本発明の第１の実施の形態の概略構成を示す斜視図。
【図３】本発明の第１の実施の形態の紙幣束収納庫の概略構成を示す平断面図。
【図４】本発明の第１の実施の形態の紙幣束収納庫内に収納される紙幣束を繰り出す紙幣束繰出機構の構成を示す正面図。
【図５】図４の側断面図。
【図６】本発明の第１の実施の形態の金種別紙幣束収納庫と紙幣束振分収納部との配置構成を示す構成図。
【図７】本発明の第１の実施の形態の紙幣束出金部の紙幣束搬送リフトの構成を示す平面図。
【図８】本発明の第１の実施の形態の紙幣束搬送リフトに設けられる紙幣束繰出駆動部の概略構成を示す正面部分断面図。
【図９】本発明の第１の実施の形態の紙幣束繰出駆動部の概略構成を示す側断面図。
【図１０】本発明の第１の実施の形態の紙幣束搬送リフトに設けられる紙幣束受入部の移動ガイド部材を駆動させるための構成を示す側断面図。
【図１１】本発明の第１の実施の形態の紙幣束搬送リフトに設けられる挟持板を移動させるための構成を示す側断面図。
【図１２】本発明の第１の実施の形態の「紙幣束出金処理」において、紙幣束収納庫から紙幣束搬送リフトへの紙幣束押し出し時の状態を示す動作説明図。
【図１３】本発明の第１の実施の形態である紙幣束収納・出金ユニットの他の例を概略的に示す側断面図。
【図１４】本発明の第２の実施の形態の紙幣束出金部の紙幣束搬送リフトの構成を示す平面図。
【図１５】本発明の第２の実施の形態の「紙幣束出金処理」において、紙幣束収納庫から紙幣束搬送リフトへの紙幣束押し出し時の状態を示す動作説明図。
【図１６】本発明の第３の実施の形態を概略的に示す側断面図。
【符号の説明】
１２  表示部（報知手段）
１７  紙幣束出金口（出金口）
１９  スライドシャッタ（出金口シャッタ）
２５  紙幣束収納・出金ユニット（紙幣束処理装置）
２２７〜２２９  紙幣束収納庫（収納部）
３３０  紙幣束搬送リフト（移動体）
４０３  検出部（検出手段）
【図１】
0003578946.tif 000002
【図２】
0003578946.tif 000003
【図３】
0003578946.tif 000004
【図４】
0003578946.tif 000005
【図５】
0003578946.tif 000006
【図６】
0003578946.tif 000007
【図７】
0003578946.tif 000008
【図８】
0003578946.tif 000009
【図９】
0003578946.tif 000010
【図１０】
0003578946.tif 000011
【図１１】
0003578946.tif 000012
【図１２】
0003578946.tif 000013
【図１３】
0003578946.tif 000014
【図１４】
0003578946.tif 000015
【図１５】
0003578946.tif 000016
【図１６】
0003578946.tif 000017